(57)【要約】  より親切に、ユーザに見忘れ番組の存在を指摘することが可能な番組受信端末を提供する。  番組を受信する受信部１３０と、視聴した番組に基づいて視聴履歴を作成する履歴作成部１５１と、視聴履歴を保存する履歴保存部１４２と、視聴履歴に基づいて、視聴者の見たい番組を特定する見たい番組特定部１４９と、所定の時刻より過去の所定の期間における全ての番組から未視聴番組を抽出する未視聴番組抽出部３０１と、未視聴番組の中で見たい番組があるか否かを検索し、検索によって見つかった番組を見忘れ番組として決定する見忘れ番組決定部１４８と、所定の時刻より未来の所定の期間における番組群のなかに、見忘れ番組から所定の規則に基づいて特定される関連番組が存在するかどうかを判断する関連番組判定部１５４と、関連番組が存在する場合は、見忘れ番組が存在する旨の表示を行わせる番組表表示制御部１４４とを備えた、番組受信端末である。
2010035406.tif 000002
【特許請求の範囲】
【請求項１】
視聴するために番組を受信する受信部と、
視聴した番組に基づいて視聴履歴を作成する履歴作成部と、
作成された前記視聴履歴を保存する履歴保存部と、
前記視聴履歴に基づいて、視聴者の見たい番組を特定する見たい番組特定部と、
前記見たい番組と、所定の時刻を基準とする視聴または未視聴の結果に基づいて見忘れ番組を特定する、見忘れ番組特定部と、
前記所定の時刻より未来の所定の期間における番組群のなかに、前記見忘れ番組から所定の規則に基づいて特定される関連番組が存在するかどうかを判断する関連番組判定部と、
前記関連番組が存在する場合は、前記見忘れ番組が存在する旨の表示を行わせる見忘れ表示制御部とを備えた、番組受信端末。
【請求項２】
番組を配信するシステムが、前記見忘れ番組を配信することが出来ない場合には、前記見忘れ表示制御部は、前記見忘れ番組が存在する旨の表示を行わせない、請求項１記載の番組受信端末。
【請求項３】
番組を配信するシステムが、前記見たい番組を配信することが出来ない場合には、前記見忘れ番組特定部、前記関連番組判定部、及び前記見忘れ表示制御部の動作の全部または一部が停止される、請求項１記載の番組受信端末。
【請求項４】
前記見忘れ番組特定部は、
前記所定の時刻より過去の所定の期間における全ての番組に前記見たい番組があるか否かを検索する見たい番組検索部と、
前記検索によって見つかった見たい番組のうち未視聴の番組があるか否かを検索し、その検索によって見つかった番組を見忘れ番組として決定する、見忘れ番組決定部とを有する、請求項１記載の番組受信端末。
【請求項５】
前記見忘れ番組特定部は、
前記所定の時刻より過去の所定の期間における全ての番組から未視聴番組を抽出する未視聴番組抽出部と、
前記未視聴番組の中で前記見たい番組があるか否かを検索し、検索によって見つかった番組を前記見忘れ番組として決定する、見忘れ番組決定部とを有する、請求項１記載の番組受信端末。
【請求項６】
前記関連番組とは、前記見忘れ番組が属する前記見たい番組の中の少なくとも１つの番組のことである、請求項１記載の番組受信端末。
【請求項７】
番組表情報を受信する番組表情報受信部を備え、
前記見忘れ表示制御部は、前記番組表情報に基づいた番組表を表示させる際、前記番組表に前記見忘れ番組が存在する旨の表示を行わせる、番組表表示制御部である、請求項１記載の番組受信端末。
【請求項８】
前記見忘れ表示制御部は、前記関連番組の開始または終了するまでの所定時間前になると、前記見忘れ番組の存在する旨の表示を視聴画面に多重して、または視聴画面と別画面で表示させる、映像合成表示制御部である、請求項１記載の番組受信端末。
【請求項９】
前記番組表表示制御部は、前記見忘れ番組が存在する旨の表示を、前記関連番組の属するチャンネルの番組欄のいずれかの枠に表示させる、請求項７記載の番組受信端末。
【請求項１０】
前記番組表表示制御部は、前記見忘れ番組が存在する旨の表示を時刻表示欄に表示させる、請求項７記載の番組受信端末。
【請求項１１】
前記関連番組の開始時刻が変更された場合、前記番組表表示制御部は、前記見忘れ番組が存在することを示す旨の表示を、前記変更前に表示すべき場所から移動させる、請求項７記載の番組受信端末。
【請求項１２】
前記番組表表示制御部は、前記見忘れ番組の視聴時、または前記見忘れ番組が存在する旨の表示がなされた番組の番組開始時、または前記見忘れ番組が存在することを示す旨の表示がなされた番組開始の一定時間経過後に、前記見忘れ番組が存在する旨の表示を前記番組表から消去させる、請求項７記載の番組受信端末。
【請求項１３】
前記番組表表示制御部は、前記見忘れ番組が存在する旨の表示が、現に表示された番組表内に表示されていない場合には、前記見忘れ番組が存在する旨の表示を、前記現に表示されている番組表のチャンネル表示欄に表示させる、請求項７記載の番組受信端末。
【請求項１４】
前記番組表表示制御部は、前記見忘れ番組が存在する旨の表示を、前記関連番組の枠に表示させる、請求項９記載の番組受信端末。
【請求項１５】
前記番組表表示制御部は、前記見忘れ番組が存在する旨の表示を、前記関連番組の放送開始の所定の時間前までは前記関連番組の枠に表示し、前記関連番組の放送開始の所定の時間以後は、前記関連番組より以前に放送される番組の枠に表示させる、請求項９記載の番組受信端末。
【請求項１６】
前記番組表表示制御部は、前記見忘れ番組が存在する旨の表示を、前記関連番組の放送開始日前までは前記関連番組の枠に表示し、前記関連番組の放送開始日は前記関連番組より以前に放送される番組の枠に表示させる、請求項１５記載の番組受信端末。
【請求項１７】
前記見忘れ番組の再生時間を管理する、見忘れ番組時間管理部を備え、
前記番組表表示制御部は、前記見忘れ番組が存在する旨の表示を、前記関連番組の放送開始より、少なくとも前記再生時間分前に開始する番組の枠に表示させる、請求項９記載の番組受信端末。
【請求項１８】
前記見忘れ番組時間管理部は、１つの前記関連情報に対する前記見忘れ番組が複数存在する場合には、前記複数の見忘れ番組の各々の再生時間を合計した時間を再生時間とする、請求項１７記載の番組受信端末。
【請求項１９】
前記番組表表示制御部は、前記見忘れ番組が存在する旨の表示を、前記関連番組と同じ時間帯の複数のチャンネルの番組の枠にわたって、または前記関連番組以前の番組と同じ時間帯の複数のチャンネルの番組の枠にわたって表示させる、請求項９記載の番組受信端末。
【請求項２０】
前記番組表表示制御部は、前記見忘れ番組が存在することを示す旨の表示が、前記関連番組より前の番組の枠に表示されている場合、
前記見忘れ番組が存在することを示す旨の表示がなされた番組開始時または番組開始から一定時間経過後に、前記見忘れ番組の視聴が開始されていない時には、前記見忘れ番組を存在することを示す旨の表示を、前記関連番組まで、以降の番組欄に順次移動させる、請求項９記載の番組受信端末。
【請求項２１】
前記番組表表示制御部は、前記番組表中の、現在視聴中の番組の番組枠に、前記見忘れ番組が存在する旨の表示を行わせる、請求項７記載の番組受信端末。
【請求項２２】
前記表示に対応する選択がユーザによってなされた場合には、前記関連番組の開始時刻の所定時間前になると、前記見忘れ番組を再生する再生部を備えた、請求項１記載の番組受信端末。
【請求項２３】
前記表示に対応する選択がユーザによってなされた場合には、前記見忘れ番組を録画する、請求項１記載の番組受信端末。
【請求項２４】
番組を放送する番組放送局と、
視聴するために前記番組を受信する受信部、視聴した番組に基づいて視聴履歴を作成する履歴作成部、作成された前記視聴履歴を保存する履歴保存部、前記視聴履歴に基づいて、視聴者の見たい番組を特定する見たい番組特定部、前記見たい番組と、所定の時刻を基準とする視聴または未視聴の結果に基づいて見忘れ番組を特定する、見忘れ番組特定部と、前記所定の時刻より未来の所定の期間における番組群のなかに、前記見忘れ番組から所定の規則に基づいて関連番組を特定する関連番組が存在するかどうかを判断する関連番組判定部、及び前記関連番組が存在する場合は、前記見忘れ番組が存在する旨の表示を行わせる見忘れ表示制御部とを備えた、番組受信端末と、
前記番組を格納する格納部、前記格納部に前記見忘れ番組が存在するか否かを検索する検索部、及び前記見忘れ番組を前記番組受信端末に配信する配信部を備えた番組配信装置を備え、
前記格納部に前記見忘れ番組が存在しない場合、前記見忘れ表示制御部は、前記見忘れ番組が存在する旨の表示を行わない、番組送受信システム。
【請求項２５】
受信部によって、視聴するために番組を受信する受信ステップと、
履歴作成部によって、視聴した番組に基づいて視聴履歴を作成する履歴作成ステップと、
履歴保存部によって、作成された前記視聴履歴を保存する履歴保存ステップと、
見たい番組特定部によって、前記視聴履歴に基づいて、視聴者の見たい番組を特定する見たい番組特定ステップと、
見忘れ番組特定部によって、前記見たい番組と、所定の時刻を基準とする視聴または未視聴の結果に基づいて見忘れ番組を特定する見忘れ番組特定ステップと、
関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、
見忘れ表示制御部によって、前記関連番組が存在する場合は、前記見忘れ番組が存在する旨の表示を行わせる表示ステップとを備えた、番組受信方法。
【請求項２６】
請求項２５記載の番組受信方法の、履歴作成部によって、視聴した番組に基づいて視聴履歴を作成する履歴作成ステップと、履歴保存部によって、作成された前記視聴履歴を保存する履歴保存ステップと、見たい番組特定部によって、前記視聴履歴に基づいて、視聴者の見たい番組を特定する見たい番組特定ステップと、見忘れ番組特定部によって、前記見たい番組と、所定の時刻を基準とする視聴または未視聴の結果に基づいて見忘れ番組を特定する見忘れ番組特定ステップと、関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、見忘れ表示制御部によって、前記関連番組が存在する場合は、前記見忘れ番組が存在する旨の表示を行わせる表示ステップとをコンピュータに実行させるプログラム。
【請求項２７】
請求項２６記載のプログラムを記録した記録媒体であって、コンピュータにより処理可能な記録媒体。
【発明の詳細な説明】
【技術分野】
【０００１】
本発明は、見忘れ番組を受信する番組受信装置、及び番組送受信システム等に関するものである。
【背景技術】
【０００２】
近年、ユーザが視聴あるいは録画をし忘れた番組（見忘れ番組）を後で視聴するために、テレビ局などが放送済みの番組を格納したサーバを設置し、インターネットなどを経由してユーザに配信する仕組み（見忘れ番組配信）などが検討、試行されている。【０００３】
見忘れた番組を受信する方法としては、視聴者が、見忘れた番組を指定すると、自動的に当該番組の再放送が検索されて、その再放送を受信する方式が知られている。【０００４】
以下、例えば、特許文献１に記載された従来の見忘れ番組の受信方法について説明する。【０００５】
図１９は従来の発明の再放送番組録画指定システムを適用可能なネットワーク構成の一実施例を示す図である。図に示すように、この再放送番組録画指定システムは、登録ユーザの携帯電話８１０と、携帯電話８１０とインターネット８６０との間でデータの授受を仲介する通信事業者側装置８２０と、個人別放送番組表サービス等のサービスを行うサービス事業者（以下、放送番組表サービス事業者ともいう）によって運営されるサービスセンタ８３０と、テレビ放送局８４０（複数）と、録画装置８５１やテレビ受信機８５２等を備えた登録ユーザの家庭８５０と、それら携帯電話８１０、通信事業者側装置８２０、サービスセンタ８３０及び登録ユーザの家庭８５０等を接続するインターネット８６０とから構成されている。【０００６】
通信事業者側装置８２０は、基地局８２１と移動通信制御局８２２から構成されている。【０００７】
また、放送番組表サービス等のサービス事業者は、複数のテレビ放送局８４０から各チャンネル別の番組表データを得てサービスセンタ８３０のデータベース８３２に定期的または随時登録する。【０００８】
登録ユーザは、携帯電話８１０を起動して、携帯電話８１０とサービスセンタ８３０の放送番組表サービスサーバ８３１とを通信事業者側装置８２０及びインターネット８６０を介して接続する。そして、接続直後に携帯電話８１０の画面に表示される選択メニューのうち、「再放送番組録画指示」メニューを選択した後、見忘れ番組が放送された日付及びチャンネルを選択する。【０００９】
次に、携帯電話８１０に表示される、上記指定日付、指定チャンネルの複数の過去番組のうち見忘れ番組をユーザが指定すると、携帯電話（再放送番組指定要求元の携帯電話）８１０は、指定された見忘れ番組の識別情報を、通信事業者側装置８２０及びインターネット８６０を介して、サービスセンタ８３０に送信する。なお、この指定の仕方は一例であり、ダイレクトに番組名を指定するようにしてもよい。【００１０】
サービスセンタ８３０の放送番組表サービスサーバ８３１は、携帯電話８１０から見忘れ番組の識別情報を受信するとデータベース８３２に登録されている番組表データをサーチし、再放送番組があると、その番組情報を再放送番組録画要求元の携帯電話８１０に送信する。この再放送番組データの検索方法としては、テレビ放送局の番組データベース若しくはテレビ放送局から提供を受けた番組データベースを検索する方法もあるし、番組情報自体に再放送日時情報が付加されていてもよい。ケーブルテレビなど１つの番組を何度も繰り返し放送する場合は、番組名と放送日時の対照表が用意してあることが多い。【００１１】
再放送番組録画要求元の携帯電話８１０は、受信した再放送番組情報を表示し、ユーザが録画指示操作を行うと録画指示を放送番組表サービスサーバ８３１に送信する。【００１２】
その結果、放送番組表サービスサーバ８３１は再放送番組録画要求元の携帯電話８１０のユーザの録画装置８５１に再放送番組情報（再放送番組の放送時刻及びチャンネル情報等）を含む録画予約設定指示を、インターネット８６０を介して送信する。【００１３】
再放送番組予約要求元の携帯電話８１０のユーザの録画装置８５１は、放送時刻が到来すると予約チャンネルのテレビ放送局８４０から放送される再放送番組を受信して、装着された記録媒体に録画する。【００１４】
また、見忘れ番組を視聴するきっかけとして、ユーザ自身が気づいて視聴する場合のほかに、ユーザが見た分だけ視聴料を払うペーパービュー方式において、見忘れた番組があった場合、ローカル双方向テレビ番組ガイドで、ペイパービュー番組を見逃したというリマインダを表示する方式がある（特許文献２）。
【先行技術文献】
【特許文献】
【００１５】
【特許文献１】特開２００４−２００８８２号公報
【特許文献２】特表２００２−５２１８７４号公報
【発明の概要】
【発明が解決しようとする課題】
【００１６】
しかしながら、このように、（特許文献１）の従来の見忘れ番組の視聴方法では、ユーザが指定したタイミングで見忘れた番組の再放送を検索するもので、ユーザが意識的に検索を行わないと、いつまでも見忘れたままになってしまう課題があった。【００１７】
また、（特許文献２）の従来のリマインダ方式では、単に見逃したことを通知するに止まり、それ以上のユーザへの工夫は無く、結局ユーザが見忘れたままになってしまう課題があった。【００１８】
本発明は、このような従来の視聴技術における課題を解決するもので、ユーザが特に意識的に検索を行う必要が無く、また、日常行われるテレビ放送やテレビガイドを見る行動の中で、自然に見忘れ番組に気づくことが可能な番組受信端末、番組送受信システム等を提供する。
【課題を解決するための手段】
【００１９】
上記目的を達成するために、第１の本発明は、
視聴するために番組を受信する受信部と、
視聴した番組に基づいて視聴履歴を作成する履歴作成部と、
作成された前記視聴履歴を保存する履歴保存部と、
前記視聴履歴に基づいて、視聴者の見たい番組を特定する見たい番組特定部と、
前記見たい番組と、所定の時刻を基準とする視聴または未視聴の結果に基づいて見忘れ番組を特定する、見忘れ番組特定部と、
前記所定の時刻より未来の所定の期間における番組群のなかに、前記見忘れ番組から所定の規則に基づいて特定される関連番組が存在するかどうかを判断する関連番組判定部と、
前記関連番組が存在する場合は、前記見忘れ番組が存在する旨の表示を行わせる見忘れ表示制御部とを備えた、番組受信端末である。【００２０】
また、第２の本発明は、
番組を配信するシステムが、前記見忘れ番組を配信することが出来ない場合には、前記見忘れ表示制御部は、前記見忘れ番組が存在する旨の表示を行わせない、第１の本発明の番組受信端末である。【００２１】
また、第３の本発明は、
番組を配信するシステムが、前記見たい番組を配信することが出来ない場合には、前記見忘れ番組特定部、前記関連番組判定部、及び前記見忘れ表示制御部の動作の全部または一部が停止される、第１の本発明の番組受信端末である。【００２２】
また、第４の本発明は、
前記見忘れ番組特定部は、
前記所定の時刻より過去の所定の期間における全ての番組に前記見たい番組があるか否かを検索する見たい番組検索部と、
前記検索によって見つかった見たい番組のうち未視聴の番組があるか否かを検索し、その検索によって見つかった番組を見忘れ番組として決定する、見忘れ番組決定部とを有する、第１の本発明の番組受信端末である。【００２３】
また、第５の本発明は、
前記見忘れ番組特定部は、
前記所定の時刻より過去の所定の期間における全ての番組から未視聴番組を抽出する未視聴番組抽出部と、
前記未視聴番組の中で前記見たい番組があるか否かを検索し、検索によって見つかった番組を前記見忘れ番組として決定する、見忘れ番組決定部とを有する、第１の本発明の番組受信端末である。【００２４】
また、第６の本発明は、
前記関連番組とは、前記見忘れ番組が属する前記見たい番組の中の少なくとも１つの番組のことである、第１の本発明の番組受信端末である。【００２５】
また、第７の本発明は、
番組表情報を受信する番組表情報受信部を備え、
前記見忘れ表示制御部は、前記番組表情報に基づいた番組表を表示させる際、前記番組表に前記見忘れ番組が存在する旨の表示を行わせる、番組表表示制御部である、第１の本発明の番組受信端末である。【００２６】
また、第８の本発明は、
前記見忘れ表示制御部は、前記関連番組の開始または終了するまでの所定時間前になると、前記見忘れ番組の存在する旨の表示を視聴画面に多重して、または視聴画面と別画面で表示させる、映像合成表示制御部である、第１の本発明の番組受信端末である。【００２７】
また、第９の本発明は、
前記番組表表示制御部は、前記見忘れ番組が存在する旨の表示を、前記関連番組の属するチャンネルの番組欄のいずれかの枠に表示させる、第７の本発明の番組受信端末である。【００２８】
また、第１０の本発明は、
前記番組表表示制御部は、前記見忘れ番組が存在する旨の表示を時刻表示欄に表示させる、第７の本発明の番組受信端末である。【００２９】
また、第１１の本発明は、
前記関連番組の開始時刻が変更された場合、前記番組表表示制御部は、前記見忘れ番組が存在することを示す旨の表示を、前記変更前に表示すべき場所から移動させる、第７の本発明の番組受信端末である。【００３０】
また、第１２の本発明は、
前記番組表表示制御部は、前記見忘れ番組の視聴時、または前記見忘れ番組が存在する旨の表示がなされた番組の番組開始時、または前記見忘れ番組が存在することを示す旨の表示がなされた番組開始の一定時間経過後に、前記見忘れ番組が存在する旨の表示を前記番組表から消去させる、第７の本発明の番組受信端末である。【００３１】
また、第１３の本発明は、
前記番組表表示制御部は、前記見忘れ番組が存在する旨の表示が、現に表示された番組表内に表示されていない場合には、前記見忘れ番組が存在する旨の表示を、前記現に表示されている番組表のチャンネル表示欄に表示させる、第７の本発明の番組受信端末である。【００３２】
また、第１４の本発明は、
前記番組表表示制御部は、前記見忘れ番組が存在する旨の表示を、前記関連番組の枠に表示させる、第９の本発明の番組受信端末である。【００３３】
また、第１５の本発明は、
前記番組表表示制御部は、前記見忘れ番組が存在する旨の表示を、前記関連番組の放送開始の所定の時間前までは前記関連番組の枠に表示し、前記関連番組の放送開始の所定の時間以後は、前記関連番組より以前に放送される番組の枠に表示させる、第９の本発明の番組受信端末である。【００３４】
また、第１６の本発明は、
前記番組表表示制御部は、前記見忘れ番組が存在する旨の表示を、前記関連番組の放送開始日前までは前記関連番組の枠に表示し、前記関連番組の放送開始日は前記関連番組より以前に放送される番組の枠に表示させる、第１５の本発明の番組受信端末である。【００３５】
また、第１７の本発明は、
前記見忘れ番組の再生時間を管理する、見忘れ番組時間管理部を備え、
前記番組表表示制御部は、前記見忘れ番組が存在する旨の表示を、前記関連番組の放送開始より、少なくとも前記再生時間分前に開始する番組の枠に表示させる、第９の本発明の番組受信端末である。【００３６】
また、第１８の本発明は、
前記見忘れ番組時間管理部は、１つの前記関連情報に対する前記見忘れ番組が複数存在する場合には、前記複数の見忘れ番組の各々の再生時間を合計した時間を再生時間とする、第１７の本発明の番組受信端末である。【００３７】
また、第１９の本発明は、
前記番組表表示制御部は、前記見忘れ番組が存在する旨の表示を、前記関連番組と同じ時間帯の複数のチャンネルの番組の枠にわたって、または前記関連番組以前の番組と同じ時間帯の複数のチャンネルの番組の枠にわたって表示させる、第９の本発明の番組受信端末である。【００３８】
また、第２０の本発明は、
前記番組表表示制御部は、前記見忘れ番組が存在することを示す旨の表示が、前記関連番組より前の番組の枠に表示されている場合、
前記見忘れ番組が存在することを示す旨の表示がなされた番組開始時または番組開始から一定時間経過後に、前記見忘れ番組の視聴が開始されていない時には、前記見忘れ番組を存在することを示す旨の表示を、前記関連番組まで、以降の番組欄に順次移動させる、第９の本発明の番組受信端末である。【００３９】
また、第２１の本発明は、
前記番組表表示制御部は、前記番組表中の、現在視聴中の番組の番組枠に、前記見忘れ番組が存在する旨の表示を行わせる、第７の本発明の番組受信端末である。【００４０】
また、第２２の本発明は、
前記表示に対応する選択がユーザによってなされた場合には、前記関連番組の開始時刻の所定時間前になると、前記見忘れ番組を再生する再生部を備えた、第１の本発明の番組受信端末である。【００４１】
また、第２３の本発明は、
前記表示に対応する選択がユーザによってなされた場合には、前記見忘れ番組を録画する、第１の本発明の番組受信端末である。【００４２】
また、第２４の本発明は、
番組を放送する番組放送局と、
視聴するために前記番組を受信する受信部、視聴した番組に基づいて視聴履歴を作成する履歴作成部、作成された前記視聴履歴を保存する履歴保存部、前記視聴履歴に基づいて、視聴者の見たい番組を特定する見たい番組特定部、前記見たい番組と、所定の時刻を基準とする視聴または未視聴の結果に基づいて見忘れ番組を特定する、見忘れ番組特定部と、前記所定の時刻より未来の所定の期間における番組群のなかに、前記見忘れ番組から所定の規則に基づいて関連番組を特定する関連番組が存在するかどうかを判断する関連番組判定部、及び前記関連番組が存在する場合は、前記見忘れ番組が存在する旨の表示を行わせる見忘れ表示制御部とを備えた、番組受信端末と、
前記番組を格納する格納部、前記格納部に前記見忘れ番組が存在するか否かを検索する検索部、及び前記見忘れ番組を前記番組受信端末に配信する配信部を備えた番組配信装置を備え、
前記格納部に前記見忘れ番組が存在しない場合、前記見忘れ表示制御部は、前記見忘れ番組が存在する旨の表示を行わない、番組送受信システムである。【００４３】
また、第２５の本発明は、
受信部によって、視聴するために番組を受信する受信ステップと、
履歴作成部によって、視聴した番組に基づいて視聴履歴を作成する履歴作成ステップと、
履歴保存部によって、作成された前記視聴履歴を保存する履歴保存ステップと、
見たい番組特定部によって、前記視聴履歴に基づいて、視聴者の見たい番組を特定する見たい番組特定ステップと、
見忘れ番組特定部によって、前記見たい番組と、所定の時刻を基準とする視聴または未視聴の結果に基づいて見忘れ番組を特定する見忘れ番組特定ステップと、
関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、
見忘れ表示制御部によって、前記関連番組が存在する場合は、前記見忘れ番組が存在する旨の表示を行わせる表示ステップとを備えた、番組受信方法である。【００４４】
また、第２６の本発明は、
第２５の本発明の番組受信方法の、履歴作成部によって、視聴した番組に基づいて視聴履歴を作成する履歴作成ステップと、履歴保存部によって、作成された前記視聴履歴を保存する履歴保存ステップと、見たい番組特定部によって、前記視聴履歴に基づいて、視聴者の見たい番組を特定する見たい番組特定ステップと、見忘れ番組特定部によって、前記見たい番組と、所定の時刻を基準とする視聴または未視聴の結果に基づいて見忘れ番組を特定する見忘れ番組特定ステップと、関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、見忘れ表示制御部によって、前記関連番組が存在する場合は、前記見忘れ番組が存在する旨の表示を行わせる表示ステップとをコンピュータに実行させるプログラムである。【００４５】
また、第２７の本発明は、
第２６の本発明のプログラムを記録した記録媒体であって、コンピュータにより処理可能な記録媒体である。
【発明の効果】
【００４６】
本発明によれば、ユーザが特に意識的に検索を行う必要が無く、また、日常行われるテレビ放送やテレビガイドを見る行動の中で、自然に見忘れ番組に気づくことが可能な番組受信端末、番組送受信システム等を提供する。
【図面の簡単な説明】
【００４７】
【図１】本発明の実施の形態１における番組送受信システムの構成を表す図
【図２】本発明の実施の形態１における番組受信装置の制御処理の流れを示す図
【図３】本発明の実施の形態１における番組受信装置の制御処理の流れを示す図
【図４】（ａ）、（ｂ）本発明の実施の形態１における番組受信装置が生成するＥＰＧの一例を表す図
【図５】（ａ）、（ｂ）本発明の実施の形態１における番組受信装置が生成するＥＰＧの別の一例を表す図
【図６】本発明の実施の形態２における番組送受信システムの構成を表す図
【図７】（ａ）、（ｂ）本発明の実施の形態２における番組受信装置が生成するＥＰＧの一例を表す図
【図８】本発明の実施の形態２における番組受信装置が生成するＥＰＧの別の一例を表す図
【図９】本発明の実施の形態２における番組受信装置が生成するＥＰＧの別の一例を表す図
【図１０】本発明の実施の形態１における番組送受信システムの他の一例の構成を示す図
【図１１】図１０に示す番組受信装置の制御処理の流れを示す図
【図１２】図１０に示す番組受信装置の制御処理の変形例を示す図
【図１３】（ａ）、（ｂ）本発明の実施の形態１、２における番組送受信装置が生成するＥＰＧのシステムの他の一例を表す図
【図１４（ａ）】本発明の実施の形態１、２における番組送受信装置が生成するＥＰＧのシステムの他の一例を表す図
【図１４（ｂ）】本発明の実施の形態１、２における番組送受信装置が生成するＥＰＧのシステムの他の一例を表す図
【図１４（ｃ）】本発明の実施の形態１、２における番組送受信装置が生成するＥＰＧのシステムの他の一例を表す図
【図１５】（ａ）、（ｂ）本発明の実施の形態１、２における番組送受信装置が生成するＥＰＧのシステムの他の一例を表す図
【図１６】本発明の実施の形態１における番組送受信システムの他の一例の構成を示す図
【図１７】本発明の実施の形態１における番組送受信システムの他の一例の構成を示す図
【図１８】（ａ）、（ｂ）本発明の実施の形態１における番組送受信システムの他の一例における表示画面を表す図
【図１９】従来の番組受信システムを表す図
【発明を実施するための形態】
【００４８】
以下、本発明にかかる実施の形態について図面を参照しながら説明する。
【００４９】
（実施の形態１）
以下に、本発明にかかる実施の形態１の番組送受信システムについて、図面を参照しながら説明する。
【００５０】
図１は、本発明の実施の形態１における番組送受信システムの構成を表す図である。
【００５１】
図１に示すように、本実施の形態１の番組送受信システムには、番組を放送する放送局１００と、放送される番組を受信するためにユーザーが所有している番組受信装置１２０が設けられている。
【００５２】
この放送局１００には、地上波、衛星波、及びインターネットなどを用いて現在または将来に放送する番組を配信する放送番組配信システム１０１と、既に放送された番組を蓄積し、配信する配信サーバなどを有する、見忘れ番組配信システム１０２が設けられている。
【００５３】
また、見忘れ番組配信システム１０２には、既に放送された番組を蓄積する格納部１０３と、格納部１０３内の番組を検索する検索部１０４と、検索によって発見された番組を番組受信装置１２０へと配信する配信部１０５が設けられ、配信サーバを構成している。
【００５４】
次に、本発明の番組受信端末の一例に相当する番組受信装置１２０について説明する。
【００５５】
また、本実施の形態１における番組受信装置１２０には、放送局１００からの放送を受信する受信部１３０と、放送番組の電子番組表（ＥＰＧ）を受信する番組表情報受信部１３１と、番組表情報受信部１３１で受信したＥＰＧ情報を管理する番組表情報管理部１３２が設けられている。
【００５６】
また、ユーザがチャンネル選択して受信した番組に基づいて、視聴履歴を作成し、視聴の傾向や履歴を管理する履歴管理部１４２が設けられている。
【００５７】
この履歴管理部１４２には、過去の所定の期間におけるＥＰＧ情報と、受信した番組に基づいて視聴履歴を作成する履歴作成部１５１と、作成した視聴履歴を保存する履歴保存部１５２と、視聴履歴に基づいて、視聴者の「見たい番組」を特定する見たい番組特定部１４９が設けられている。更に、履歴管理部１４２には、見たい番組特定部１４９によって特定された「見たい番組」が、過去の所定の期間（例えば、３週間）における全ての番組の中に有るか否かを検索する、見たい番組検索部１５０が設けられている。そして、「見たい番組」が存在する場合に、検索によって見つかった「見たい番組」の中に未視聴の番組があるか否かを検索し、「未視聴番組」が有る場合には、その「未視聴番組」を「見忘れ番組」として決定する見忘れ番組決定部１４８が設けられている。
【００５８】
また、番組受信装置１２０には、インターネットなどの公衆回線網１１０を経由して放送局１００の見忘れ番組配信システム１０２と接続される通信部１４０と、格納部１０３の中から「見忘れ番組」の所在を検索させるための指示を通信部１４０を介して検索部１０４に送るサーバ検索指示部１４１が設けられている。また、検索部１０４で検索した「見忘れ番組」に関する情報を、通信部１４０を介して受信し管理する、見忘れ情報管理部１４３が設けられている。この「見忘れ番組」に関する情報には、「見忘れ番組」が格納部１０３に存在するか否かの情報が含まれている。また、「見忘れ番組」が存在する場合には、その再生時間などの情報も、「見忘れ番組」に関する情報に含まれている。
【００５９】
また、番組受信装置１２０には、「見忘れ番組」から所定の規則に基づいて、「見忘れ番組」に関連する「関連番組」を特定する関連番組特定部１５３と、ＥＰＧ情報から、未来の所定の期間における番組群の中に、「関連番組」が存在するか否かを判定する関連番組判定部１５４が設けられている。
【００６０】
また、番組受信装置１２０には、格納部１０３に「見忘れ番組」が存在し、且つ「関連番組」が存在する場合に、ＥＰＧに「見忘れ番組」の存在を示すマークを付与させる番組表表示制御部１４４が設けられている。この番組表表示制御部１４４は、本発明の見忘れ表示制御部の一例に相当する。
【００６１】
また、番組受信装置１２０には、ユーザからの操作入力を受け付けるリモコン受信部１４６と、リモコンによってマークが選択されることによって、見忘れ番組配信システム１０２から「見忘れ番組」を受信する、見忘れ番組受信部１４５が設けられている。
【００６２】
なお、受信部１３０で受信した放送やそれに関する情報、見忘れ番組受信部１４５で受信した「見忘れ番組」やそれに関する情報、ＥＰＧ情報などは、表示画面１４７により表示される。この表示画面の一例としては、ディスプレイなどが相当する。また、番組受信装置１２０の例としては、ＴＶなどが相当する。
【００６３】
次に、本実施の形態１の番組送受信システムの動作について、図面を参照しながら説明するとともに、本発明の番組受信方法の一例についても同時に述べる。
【００６４】
はじめに、本実施の形態の番組送受信システムの動作の概要について説明した後、後述する図２及び図３のような処理の流れを示す図を用いて、より具体的に説明する。
【００６５】
図１において、ユーザが放送番組を受信部１３０で受信すると、履歴管理部１４２では、受信した番組名や時刻などとともに、過去のＥＰＧ情報から視聴履歴が作成され、記録される。
【００６６】
履歴管理部１４２では、視聴履歴から見忘れた可能性のある番組である「見忘れ番組」を後述するようにして特定して、サーバ検索指示部１４１から、検索を指示する旨の命令が通信部１４０を通じて放送局１００に送信される。
【００６７】
そして、「見忘れ番組」の有無が検索され、「見忘れ番組」が放送局１００の見忘れ番組配信システム１０２に存在すれば、番組表表示制御部１４４において、番組表の中の、その「見忘れ番組」に関連する番組である「関連番組」に「見忘れ有」マークが付与される。なお、「関連番組」は、番組表情報管理部１３２で管理されている。
【００６８】
例えば、ドラマなどのシリーズ番組が放送されている場合、ユーザが、その第１話を視聴したにも関わらず、第２話を視聴していなかった場合には、その第２話が「見忘れ番組」と特定される。そして、そのドラマの次回以降の番組が、「見忘れ番組（第２話）」の「関連番組」と特定される。つまり、第２話が「見忘れ番組」であり、見忘れ番組配信システム１０２に第２話が存在していれば、ＥＰＧにおいて、そのドラマの「関連番組」である第３話の枠に「見忘れ有」マークが表示されることになる。
【００６９】
そして、ユーザがＥＰＧに表示された「見忘れ有」マークを、リモコンなどの操作で選択することにより、リモコン受信部１４６はリモコンからの選択指示を受け、見忘れ番組配信システム１０２との通信を接続する。そして、見忘れ番組配信システム１０２から、見忘れ番組と同じ内容の番組が送信され、その番組は、見忘れ番組受信部１４５によって受信され、表示画面１４７に表示される。
【００７０】
次に、本発明の実施の形態１における番組受信装置１２０の処理について、図面を参照しながら、より具体的に説明する。
【００７１】
はじめに、図２は、本発明の実施の形態１における番組受信装置１２０が日頃行っておく動作の処理の流れを示す図である。なお、図面、及び本明細書においてステップのことをＳと省略して記載する。
【００７２】
番組受信装置１２０が日頃行っておく処理（履歴作成、見たい番組の特定）について説明する。
【００７３】
図２において、ユーザが放送番組を受信部１３０で受信する（Ｓ１０１）と、受信した番組名や時刻などを履歴作成部１５１が抽出する（Ｓ１０２）。一方、履歴作成部１５１には、ＥＰＧ情報も送信され（Ｓ１０３）、履歴作成部１５１は、このＥＰＧ情報と抽出した番組名や時刻などから、過去の所定期間において視聴した番組名及び時刻などの視聴履歴を作成する（Ｓ１０４）。そして、この視聴履歴及びＥＰＧ情報等は、履歴保存部１５２に保存される（Ｓ１０５）。なお、本発明の受信ステップの一例は、ステップＳ１０１に相当する。また、本発明の履歴作成ステップの一例は、ステップＳ１０４に相当し、本発明の履歴保存ステップの一例は、ステップＳ１０５に相当する。
【００７４】
履歴管理部１４２では、履歴保存部１５２に保存されている視聴履歴に基づいて、予め決められた規則に基づき、見たい番組特定部１４９が、ユーザの「見たい番組」を特定する（Ｓ１０６）。例えば、図４（ａ）に示すＥＰＧにおける、２ｃｈで２０時から放送される連続ドラマＡ１などのシリーズ番組などにおいて、第１話を視聴した場合に、「見たい番組」は連続ドラマＡ１の第２話以降の第３話、第４話、・・・と特定される。この場合は、予め決められた規則とは、『連続ドラマの場合どれか１話でも視聴されると、その連続ドラマのシリーズ全番組が「見たい番組」として特定される』という規則である。ここで、「見たい番組」は、複数種類選択されても良く、例えば、プロ野球の巨人阪神戦や、２チャンネルの２１時のニュースＡ２番組を「見たい番組」とすることができる。なお、この場合の予め決められた規則とは、『過去の視聴の履歴の中で、統計的にみて、特定の番組の視聴の回数が他の同種の番組に比べて格段に多い場合（例えば３倍以上）、その特定の番組の全てが「見たい番組」として特定される』という規則である。なお、このステップＳ１０６が、本発明の見たい番組特定ステップの一例に相当する。
【００７５】
このように、視聴履歴作成や「見たい番組」の特定を日常行っているが、次に、ユーザがＥＰＧを表示画面１４７で見る場合の番組送受信システムの動作について説明する。この説明とともに、本発明の番組受信方法の一例である、番組受信装置１２０の動作についても同時に述べる。
【００７６】
図３は、本発明の実施の形態１における番組受信装置１２０が、ユーザからＥＰＧの表示指示を受けた場合に実行する処理の流れを示す図である。また、図４（ａ）は、ＥＰＧの一例を示す図である。なお、ＥＰＧにおいて、行または列を欄と呼び、１つのマス目を枠と呼ぶ。
【００７７】
図３において、ＥＰＧを表示画面１４７に表示させる指示が、リモコン受信部１４６によって受信される（Ｓ２０１）と、履歴管理部１４２では、履歴保存部１５２において管理している視聴履歴情報から「見忘れ番組」が特定される（Ｓ２０２、Ｓ２０３、Ｓ２０５）。
【００７８】
詳しく説明すると、見たい番組特定部１４９によって特定された「見たい番組」が、過去の所定の期間（３週間）における全ての番組の中にあるか否かについての検索が、見たい番組検索部１５０によって行われる（Ｓ２０２）。ここで、複数種類の「見たい番組」がある場合には、先ず、１つの種類の番組が選択され、その選択された番組が、過去の所定の期間における全ての番組の中にあるか否かが検索される。ここでは、連続ドラマＡ１が選択されているものとする。
【００７９】
「見たい番組」が存在する場合には、見忘れ番組決定部１４８によって、検索によって見つかった過去の「見たい番組」の中に未視聴の番組があるか否かの検索が行われる（Ｓ２０３）。この「未視聴番組」があるか否かの検索は、履歴保存部１５２の視聴履歴と、検索によって見つかった「見たい番組」を用いて行われる。そして、検索によって未視聴の番組が存在する場合には、その「未視聴番組」が「見忘れ番組」として決定される（Ｓ２０５）。例えば、連続ドラマＡ１のうち第２話が視聴されていなかった場合には、「見たい番組」の中に、「未視聴番組」が存在するため、連続ドラマＡ１の第２話が「見忘れ番組」と決定される。上記ステップＳ２０２、ステップＳ２０３、及びステップＳ２０５が、本発明の見忘れ番組特定ステップの一例に相当する。
【００８０】
なお、上述のように、「見たい番組」の特定は、日頃端末が特定しているが、必ずしもこれに限らず、日頃は行わず、番組表（ＥＰＧ）を表示させる指示の後で、「見たい番組」を特定してもよい。
【００８１】
一方、ステップ２０２において、「見たい番組」が、過去の所定の期間（３週間）における全ての番組の中に見つからなかった場合には、制御は、ステップＳ２１２へと進み、他の種類の「見たい番組」が有るか否かの判定が行われる。例えば、他の種類の「見たい番組」として、プロ野球の巨人阪神戦がある場合には（Ｓ２０４）、制御はステップＳ２０２へと戻り、プロ野球の巨人阪神戦についての「見たい番組」が、過去の所定の期間（３週間）における全ての番組の中に存在するか否かのチェックが行われる。
【００８２】
また、ステップ２０３において、検索によって見つかった「見たい番組」の中に、「未視聴番組」が見つからなかった場合にも、制御は、ステップＳ２１２へと進み、他の種類の「見たい番組」が有るか否かの判定が行われる。
【００８３】
上記ステップＳ２０５において、「見忘れ番組」が特定された場合、サーバ検索指示部１４１が、通信部１４０を介して、見忘れ番組配信システム１０２に「見忘れ番組」の有無を検索させる指示を行う（Ｓ２０６）。すなわち、連続ドラマＡ１の第２話の「見忘れ番組」が格納部１０３に格納されているかどうか検索するようにサーバ検索指示部１４１は、見忘れ番組配信システム１０２に指示する。すると、検索部１０４が、格納部１０３の検索を行い、「見忘れ番組」が放送局１００の見忘れ番組配信システム１０２に存在するか否かのチェックが行われる（Ｓ２０７）。
【００８４】
そして、「見忘れ番組」が格納部１０３内に存在する場合、サーバ検索指示部１４１は、「見忘れ番組」が存在する旨を、見忘れ情報管理部１４３へと伝える。
【００８５】
もし、ステップＳ２０７において、格納部１０３に「見忘れ番組」が存在しなければ、履歴管理部１４２において、見忘れ番組決定部１４８が、連続ドラマＡ１についての「見忘れ番組」の有無をチェックしたことを記録する（Ｓ２１７）。
【００８６】
そして、処理はステップ２１２へと進み、他の種類の「見たい番組」があるか否かについて、見忘れ番組決定部１４８において、判定が行われる。なお、一度、格納部１０３の中の存在をチェックした番組に関しても、後日見忘れ番組が放送局１００の見忘れ番組配信システム１０２の配信サーバに登録されることもあるので、定期的にチェックしてもよい。
【００８７】
一方、ステップＳ２０７において、「見忘れ番組」が格納部１０３の中に存在する場合、ステップＳ２０８において、予め定められた所定の規則に従って、「関連番組」が関連番組特定部１５３によって特定される。具体的には、２チャンネルの連続ドラマＡ１の第２話が「見忘れ番組」と特定されているが、その第２話の次回以降（或いは特定された連続ドラマ全て）の番組が、この「見忘れ番組」の「関連番組」と特定される。なお、この場合の所定の規則は、『「見忘れ番組」が属する「見たい番組」群に属する全ての番組は、その「見忘れ番組」の「関連番組」として特定する』という規則である。例えば、上述のように「見たい番組」として所定の連続ドラマが特定されている場合、見忘れたＸ話目の以降の各話番組（あるいはその所定の連続ドラマ全て）を、見忘れたＸ話番組に関連する「関連番組」として特定するということになる。あるいは「見たい番組」として巨人阪神戦が特定されている場合、（今日よりも以前に放送された）見忘れた５月１日の巨人阪神戦番組について、その他の巨人阪神戦の番組群が「関連番組」となる。
【００８８】
上記ステップＳ２０８において、「関連番組」が特定されると、番組表情報管理部１３２で管理されている、今後の２週間分のＥＰＧの番組の中に、その「見忘れ番組」の「関連番組」があるか否かのチェックが、関連番組判定部１５４において行われる（Ｓ２０９）。そして、ステップＳ２１０において「関連番組」がＥＰＧに存在する場合は、その旨が番組表表示制御部１４４へと送信される。
【００８９】
一方、もし、「関連番組」（ここでは連続ドラマＡ１の第３話目など）がなければ（Ｓ２１０）、見忘れ番組決定部１４８が、「関連番組」の有無をチェックした「見忘れ番組」の種類を記録する（Ｓ２１７）。そして、制御は、ステップＳ２１２へと進み、他の種類の「見たい番組」があるか否かが、見たい番組特定部１４９において判定される。なお、一度チェックした「関連番組」に関しても、後に配信されるＥＰＧに存在する場合があるため、定期的にチェックする方がより好ましい。
【００９０】
ステップＳ２１０において、もし、「関連番組」（ここでは連続ドラマＡ１の第３話）が存在する場合には、番組表表示制御部１４４は、ＥＰＧの連続ドラマＡ１の第３話の枠に「見忘れ有」マークを表示する（Ｓ２１１）。なお、ステップＳ２０８、ステップＳ２０９、及びステップＳ２１０が、本発明の関連番組判定ステップの一例に相当する。
【００９１】
次に、ステップＳ２１２において、他の種類の「見たい番組」が存在するか否かが、見たい番組特定部１４９によって、判定される（Ｓ２１２）。もし、他の種類の「見たい番組」が存在する場合には、処理は、ステップＳ２０２へと戻り、その他の種類の「見たい番組」が過去の所定期間内の番組の中に存在するか否かの判定が行われる。すなわち、連続ドラマＡ１に関する処理の終了後に、プロ野球の巨人阪神戦、続いて２ｃｈの２１時から始まるニュースＡ２に関して、ステップＳ２０２〜ステップＳ２１１までの処理が行われる。
【００９２】
全ての種類の「見たい番組」に関する処理が終了した後に、番組表表示制御部１４４は、表示画面１４７にＥＰＧを表示させる（Ｓ２１３）。図４（ｂ）には、「見忘れ有り」のマークが示されたＥＰＧの一例３１０が示されている。このステップＳ２１３が、本発明の表示ステップの一例に相当する。図４（ｂ）には、ドラマＡ１の第３話にのみ「見忘れ有り」マークが表示されている例を示しているが、もちろんニュースＡ２についても「見たい番組」として判断され、「未視聴番組」が存在するのであれば、「見忘れ有り」マークが表示される。
【００９３】
ユーザが、ＥＰＧにおいて、連続ドラマＡ１第３話の枠で、リモコンの決定ボタンを押すと、通常は連続ドラマＡ１の第３話の情報が表示されるが、例えばデータ放送受信用ボタンなど、特定のボタンを押すと、「見忘れ有」マーク３１１の方が選択される（Ｓ２１４）。
【００９４】
すると、リモコン受信部１４６はリモコンからの選択指示を受け、番組受信装置１２０は、通信部１４０を経由して見忘れ番組配信システム１０２の格納部１０３にアクセスする。そして、見忘れ番組受信部１４５で「見忘れ番組」を受信することで、表示画面１４７に「見忘れ番組」が表示され（Ｓ２１５）、「見忘れ番組」の視聴が開始される（Ｓ２１５）。
【００９５】
なお、「見忘れ番組」を受信した後、番組表表示制御部１４４が、「見忘れ有」マーク３１１をＥＰＧから消去する。
【００９６】
すなわち、本実施の形態では、ユーザが視聴あるいは録画をし忘れた、またはその可能性のある番組である「見忘れ番組」がある場合には、そのことを示すアイコンなどをＥＰＧなどに表示することで、ユーザが「見忘れ番組」の有無を確認できる。また、そのアイコンをユーザが選択することにより、番組視聴端末は放送局に蓄積された番組配信システムから取得した「見忘れ番組」を再生できる。
【００９７】
以上のように、本実施の形態１の番組受信装置１２０は、連続ドラマなどで、見忘れた回を、次の回が開始されるまで見ておきたい場合などに、例え、自分が「見忘れ番組」の存在を忘れていてもテレビ視聴や録画の際によく利用されるＥＰＧを見るだけで、次の回（関連する番組）をトリガー（契機）として、次の回がはじまるまでに、ユーザに「見忘れ番組」の存在をより気付かせることが可能となる。このように、連続性のある番組の見忘れに対しても配慮しており、ユーザに対して非常に親切な装置である。
【００９８】
なお、本実施の形態１では、「見忘れ有」マークを「関連番組」の枠に表示することのみが示されていたが、これに限るものではない。例えば、「見忘れ有」のマーク位置は、ＥＰＧにおいて、「見忘れ番組」の「関連番組」が放送される当日は、「関連番組」以前の番組の枠に表示し、「関連番組」が放送される前日までは、「見忘れ番組」の存在がわかりやすいように、「見忘れ番組」の「関連番組」の枠に表示することで、ユーザに日付に応じて適切に「見忘れ番組」の存在を通知することが可能となる。
【００９９】
具体的には、図５（ａ）に示すように「見忘れ番組」の「関連番組」が５月１１日に放送される場合、「見忘れ有」のマークは、前日（ここでは５月１０日）までは、ＥＰＧ４００のように、「見忘れ番組」の「関連番組」である連続ドラマＡ１の第３話の枠内に「見忘れ有」マーク４０１が表示される。そして、図５（ｂ）に示すように放送当日である５月１１日は、ＥＰＧ４１０のように、「関連番組」以前の番組、ここではニュースＡ１の欄に「見忘れ有」マーク４１１が表示される。
【０１００】
また、日単位ではなく時間単位で「見忘れ有」マークの移動が行われても良い。具体的には、「関連番組」である連続ドラマＡ１の第３話の放送開始の、例えば４時間前までは、「見忘れ有」マークが「関連番組」の枠内に表示される。そして、「関連番組」の放送開始までの時間が４時間より少なくなると、「関連番組」以前の番組であるニュースＡ１の枠内に「見忘れ有」マークが表示される。
【０１０１】
なお、サーバ検索指示部１４１で用いる、見忘れ番組配信システム１０２のサーバ検索用の情報、例えばサーバのＵＲＬ（Ｕｎｉｆｏｒｍ  Ｒｅｓｏｕｒｃｅ  Ｌｏｃａｔｏｒ）などは、あらかじめ登録されていてもよいし、放送局１００から放送番組に多重されて送信されてもよく、特に限定しない。
【０１０２】
また、本実施の形態では、番組受信装置１２０の一例としてＴＶを挙げたが、ＴＶでなくてもよく、録画装置や、放送受信機能搭載のＰＣでもよく、ＥＰＧが受信できて、通信機能が搭載されていれば特に限定されるものではない。
【０１０３】
また、番組表表示制御部１４４が付与する「見忘れ有」マークの表示内容は特に限定されるものではなく、例えば、「見忘れ有：連続ドラマＡ１第２話」というように、見忘れた番組について具体的に記載するようにしても良い。
【０１０４】
また、「見忘れ有」マークの選択方法としてデータ放送受信用ボタンを押すことを一例として説明したが、通常の番組表の選択と区別できれば特に限定されるものではない。
【０１０５】
（実施の形態２）
次に、本発明にかかる実施の形態２における番組送受信システムについて、図面を参照しながら説明する。本実施の形態２の番組送受信システムの基本的な構成は、実施の形態１と同様であるが、「見忘れ番組」の再生時間などを管理して、より適切なタイミングでの視聴を促す点が、実施の形態１と異なっている。そのため、本相違点を中心に説明する。なお、実施の形態１と同一または対応する構成については、同一の符号が付されている。
【０１０６】
図６は、本発明の実施の形態２における番組送受信システムの構成を表す図である。
【０１０７】
図６に示す本実施の形態２の番組受信装置１２０は、見忘れ番組時間管理部５０１が実装された以外は、実施の形態１で説明した番組受信装置と同じであるので、他の構成の説明を省略する。この見忘れ番組時間管理部５０１は、「見忘れ番組」の再生時間と関連する放送の開始時間を管理する。
【０１０８】
図７（ａ）、（ｂ）は「見忘れ有」マークが付与されたＥＰＧの例を示す図である。
【０１０９】
見忘れ番組時間管理部５０１は、見忘れ情報管理部１４３が、見忘れ番組配信システム１０２から「見忘れ番組」の情報を取得する際に、あわせて「見忘れ番組」の再生時間を取得する。そして、番組表表示制御部１４４は、「関連番組」の開始以前であり、かつ、「見忘れ番組」の再生時間以上前に始まる時間の番組に、「見忘れ番組」マークを表示させる。
【０１１０】
例えば、図７（ａ）に示すように、ＥＰＧ６１０の２ｃｈで２０時から放送される連続ドラマＡ１（第３話）の前回分である第２話を、ユーザが見逃していて、「見忘れ番組」が見忘れ番組配信システム１０２内に存在する場合、見忘れ番組時間管理部５０１は、連続ドラマＡ１（第２話）の再生時間が１時間であるという情報を、サーバ検索指示部１４１から受信する。続いて、「関連番組」である連続ドラマＡ１（第３話）の放送開始時間である２０時という情報を番組表情報管理部１３２から受信する。
【０１１１】
これにより、見忘れ番組時間管理部５０１において、「関連番組」である連続ドラマＡ１（第３話）開始までに、「見忘れ番組」である第２話の視聴を完了させるには、第３話の放送開始１時間前である１９時に「見忘れ番組」の視聴を開始すればいいことが判明する。そして、見忘れ番組時間管理部５０１は、見忘れ情報管理部１４３を経由して、番組表表示制御部１４４に視聴開始時間に関する情報を送る。
【０１１２】
すると、図７（ａ）に示すように、番組表表示制御部１４４は、１９時から開始される番組であるニュースＡ１に「見忘れ有」マーク６１１を表示させる。そして、ユーザが１９時に「見忘れ番組」を選択することで、ユーザは、「見忘れ番組」である連続ドラマＡ１の第２話を１９時から視聴し、続いて「関連番組」である第３話の放送を２０時から視聴出来、連続して視聴することが可能となる。
【０１１３】
一方、１９時を過ぎてもユーザが「見忘れ番組」を視聴しない場合には、図７（ｂ）に示すように、番組表表示制御部１４４は、「見忘れ有」マーク６１１を連続ドラマＡ１（第３話）の枠内に表示させる。
【０１１４】
このように本実施の形態２では、ユーザは自分が忘れていてもテレビ視聴や録画の際によく利用されるＥＰＧを見るだけで、例えば１時間の連続ドラマの見忘れがある場合は、次の回の１時間以上前に放送されるＥＰＧの枠に「見忘れ有」マークを付与することが可能となり、関連する次の番組が開始されるまでに、見忘れ番組の視聴を終了させることが可能となる効果がある。
【０１１５】
なお、上記実施の形態２では、１９時を過ぎると、「見忘れ有」マークを「関連番組」の枠に移動させているが、移動させなくても良い。
【０１１６】
また、「見忘れ有」マークの付与は、連続視聴になる１９時開始番組でなく、この番組の放送以前であっても構わず、ここでは連続ドラマＡ１の第３話が開始するまでに「見忘れ番組」である連続ドラマＡ１の第２話の視聴が終了するように、１９時以前の番組に「見忘れ有」マークを付与してもよい。
【０１１７】
また、「見忘れ番組」と「関連番組」が連続視聴可能な複数の番組あるいはすべての番組のＥＰＧ枠に「見忘れ有」マークを付与すると、さらに有効である。図８は、１９時に放送予定のすべての番組に「見忘れ有」マーク７０１を表示した場合の一例であるＥＰＧ７００を示す図である。図８に示すＥＰＧ７００では、「見忘れ有」マーク７０１が、「関連番組」の放送１時間前である１９時に放送予定の複数の番組の枠にわたって設けられている。なお、実施の形態１においても、複数の番組の枠にわたって設けられた「見忘れ有」マークがＥＰＧに付されていても良い。
【０１１８】
また、ＥＰＧの番組枠でなく、時刻欄のいずれかの枠に「見忘れ有」マークを付与しても同等の効果が得られる。このようなＥＰＧの例が、図９に示されている。図９に示すＥＰＧ７１０では、１９時を示す時刻表示枠に「見忘れ有」マーク７１１が、表示されている。なお、このように時刻表示欄のいずれかの枠に「見忘れ有」マークを表示する方法は、実施の形態１の番組送受信システムに対して適用してもよい。例えば、図５（ａ）に示す「見忘れ有」マーク４０１が２０時の枠に表示され、図５（ｂ）に示す「見忘れ有」マーク４１１が１９時の枠に表示されていてもよい。
【０１１９】
なお、「見忘れ有」マークを表示する時刻あるいは番組は、「関連番組」との連続視聴が可能な時間や、「関連番組」の放送時間、あるいは、放送が開始するまでに視聴が完了する任意の時間、あるいは履歴管理部１４２の情報から、ユーザがよく視聴や録画する時間、すなわちＥＰＧを使用する可能性が高い時間や番組に付与してもよい。
【０１２０】
なお、「見忘れ番組」の存在が１つの場合を例に説明したが、「見忘れ番組」が２つ以上ある場合であっても、本実施の形態２を適用することができる。具他的には、例えば、連続ドラマＡ１の第２話目に続いて第３話目も見逃した場合、第４話目が２０時から放送が開始されるとすると、第２話の再生時間（１時間）＋第３話の再生時間（１時間）の計２時間を再生時間とし、放送開始２時間前の１８時に、「見忘れ有」マークを付与することで、複数の見忘れ番組が存在する場合でも同様の効果が得られる。
【０１２１】
また、本発明の実施の形態１及び２では、放送番組配信システム１０１と見忘れ番組配信システム１０２が同一放送局１００内にあるとして説明したが、例えば見忘れ番組配信システム１０２は関連会社など別の場所に存在してもよい。
【０１２２】
なお、本発明の視聴とは、例えば、上記実施の形態１、２では、チャンネルを選択して番組を受信することとしていたが、視聴したかどうかの判断は、番組が表示画面１４７に表示されたこと、または、その番組の表示が終了したこととしてもよい。実際に表示されたことを視聴とすると、受信したものの録画されただけで視聴されていない番組も「見忘れ番組」扱いすることができるので、よりユーザに対して親切である。
【０１２３】
また、上記実施の形態１、２では、「見忘れ番組」が見忘れ番組配信システム１０２内に存在しない場合には、例え、ＥＰＧ内に「関連番組」が存在したとしても「見忘れ有」マークの表示は行われないが、「見忘れ番組」が見忘れ番組配信システム１０２内に存在しない場合であっても、「見忘れ有」マークの表示を行ってもよい。なぜならたとえ、見忘れ番組配信システム１０２内に「見忘れ番組」が存在しない場合でも、ユーザが見忘れていることに気付くことが出来れば、「関連番組」が放送されるまでに、ユーザが友人等に借りること等ができるためである。
【０１２４】
また、上記実施の形態１、２では、簡略すると、日頃「見たい番組」を抽出しておき、ユーザからのＥＰＧ表示要求があった際、過去の「見たい番組」の中に「未視聴番組」があるか否か検索し、それらから「見忘れ番組」を特定し、その「見忘れ番組」が、見忘れ番組配信システム１０２で配信可能かどうかを検索するという順番で制御処理を行うと記載したが、これらの処理の順番は適宜前後変更しても良い。
【０１２５】
例えば、上記実施の形態１、２では、「見忘れ番組」を特定した後、「見忘れ番組」が見忘れ番組配信システム１０２内に存在するか否かの検索が行われたが、「見たい番組」が特定された後、「見忘れ番組」が特定される前に、「見たい番組」が格納部１０３に存在しているか否かの検索を日頃やっておいてもよい。あるいはＥＰＧ表示指示があった際検索を行っても良い。
【０１２６】
このように、「見たい番組」を予め検索しておく制御では、「見たい番組」が格納部１０３に存在しない場合に、「見忘れ番組」の特定等を行う必要がないため、処理が少なくて済むという効果がある。
【０１２７】
一方、「見忘れ番組」を特定した後、「見忘れ番組」が格納部１０３に有るか否かを検索する制御では、「見たい番組」を検索するよりも検索する量が少なくて済むという効果がある。
【０１２８】
なお、実施の形態１、２では、過去の所定の期間（３週間）のＥＰＧにおける全ての番組から「見たい番組」があるか否かを検索し、見つかった「見たい番組」のなかに「未視聴番組」があるか否かを判定し、「未視聴番組」が見つかった場合は、その番組を「見忘れ番組」として決定する処理が行われたが、このような順番でなく、「未視聴番組」を抽出した後に、この「未視聴番組」の中に「見たい番組」があるか否かの検索が行われ、見つかった番組を「見忘れ番組」と決定する制御処理が行われてもかまわず、要するに「見忘れ番組」を特定することができさえすればよい。
【０１２９】
図１０は、そのような先に未視聴番組を抽出する制御を行うための番組送受信システムの構成図である。図１０に示す番組受信装置１２０は、図１と比較して、見たい番組検索部１５０に代えて、未視聴番組抽出部３０１が設けられている。この未視聴番組抽出部３０１は、過去の所定の期間において、視聴履歴から「未視聴番組」を抽出する。
【０１３０】
図１１は、図１０に示す番組受信装置１２０が、ユーザからＥＰＧの指示を受けた場合に実行する処理の流れを示す図である。
【０１３１】
図１１に示すように、図１０に示す番組受信装置１２０では、ＥＰＧを表示させる指示が行われると、未視聴番組抽出部３０１でユーザの視聴履歴をチェックし（Ｓ１１０２）、未視聴番組が抽出される（Ｓ１１０３）。
【０１３２】
詳しく述べると、履歴保存部１５２に保存されている視聴履歴には、過去の所定期間における既視聴及びＥＰＧの情報が含まれているため、過去の所定期間における「未視聴番組」が、未視聴番組抽出部３０１によって抽出される。ここで、過去の所定期間とは、例えば、３週間とすることができる。
【０１３３】
なお、上述のように、「見たい番組」の特定は、日頃端末が特定しているが、必ずしもこれに限らず、日頃は行わず、この「未視聴番組」の抽出ステップの前または後で、「見たい番組」を特定してもよい。
【０１３４】
次に、履歴管理部１４２では、履歴保存部１５２において管理している視聴履歴情報から「見忘れ番組」が特定される（Ｓ１１０４、Ｓ１１０５）。
【０１３５】
詳しく説明すると、見忘れ番組決定部１４８において、上記ステップＳ１１０３で抽出された「未視聴番組」の中に、上記ステップＳ１０６において特定された「見たい番組」が存在するか否かが検索される（Ｓ１１０４）。ここで、複数種類の「見たい番組」がある場合には、先ず、１つの種類の番組が選択され、その選択された番組が「未視聴番組」の中にあるか否かが検索される。ここでは、連続ドラマＡ１が選択されているものとする。
【０１３６】
そして、ステップＳ１１０４で、「見たい番組」が「未視聴番組」の中に見つかった場合、ステップＳ１１０５において、その番組が「見忘れ番組」として決定される。例えば、連続ドラマＡ１の第２話が視聴されていなかった場合には、「未視聴番組」の中に、連続ドラマＡ１の第２話が存在するため、連続ドラマＡ１の第２話が「見忘れ番組」と決定される。上記ステップＳ１１０４及びステップＳ１１０５が、本発明の見忘れ番組特定ステップの一例に相当する。
【０１３７】
一方、ステップ１１０４において、「未視聴番組」の中に、「見たい番組」が見つからなかった場合には、制御は、ステップＳ２１２へと進み、他の種類の「見たい番組」が有るか否かの判定が行われる。例えば、他の種類の「見たい番組」として、プロ野球の巨人阪神戦がある場合には（Ｓ２１２）、制御はステップＳ１１０４へと戻り、プロ野球の巨人阪神戦についての「見たい番組」が、「未視聴番組」の中に存在するか否かのチェックが行われる。
【０１３８】
すなわち、図１の構成の番組受信装置では、過去の所定期間における「見たい番組」の中にある「未視聴番組」が「見忘れ番組」として決定されるよう制御が行われていたが、図１０の構成の番組受信装置では、過去の所定期間における「未視聴番組」の中にある「見たい番組」が、「見忘れ番組」と決定されるよう制御が行われる。
【０１３９】
このように、図１０の構成の番組受信装置では、「未視聴番組」を抽出し、「未視聴番組」の中に「見たい番組」があるか検索が行われ、図１の構成の番組受信装置では、過去の「見たい番組」を検索し、過去の「見たい番組」のなかに「未視聴番組」が有るか否かの検索が行われているが、「見たい番組」の種類が連続ドラマ等の連続番組で有る場合、「未視聴番組」を抽出または検索しなくてもよい場合があり得る。具体的に説明すると、視聴履歴に、例えば、連続ドラマの第１、２話を視聴した記録が存在すると、第３話以降が「見たい番組」として特定される。ここで、「関連番組」をその残る連続ドラマとすると、その連続ドラマの第５話がＥＰＧに存在することが確認されると、第３話及び第４話が「見忘れ番組」であることが特定できる。そこで、ＥＰＧの第５話の枠に、「見忘れ有」マークを付与することができる。
【０１４０】
また、上記実施の形態１、２では、「見忘れ番組」が格納部１０３に存在する場合に「関連番組」が特定されるように制御が行われるが、「関連番組」を特定する制御は、「見忘れ番組」が格納部に存在するか否かの検索（Ｓ２０７、Ｓ２０８）と並行に行われても良い。このような制御のフロー図が、図１１のフローの変形例として図１２に示されている。
【０１４１】
図１２に示すように、ステップ１１０５で「見たい番組」が特定された後に、「見忘れ番組」が格納部１０３に有るか否かの検索（Ｓ２０６、Ｓ２０７）と並行して、「関連番組」の特定が行われる（Ｓ１２０８）。なお、図３のフローにおいても「関連番組」の特定が、「見忘れ番組」の検索と並行に行われても良い。
【０１４２】
また、上記実施の形態１、２では、番組受信装置１２０のサーバ検索指示部１４１が、見忘れ番組配信システム１０２に検索指示を行うことによって、検索部１０４が格納部１０３の検索を行っているが、番組受信装置１２０自身が、見忘れ番組配信システム１０２から格納部１０３の格納情報を受信し、その格納情報の検索を行う構成であってもよい。この場合、サーバ検索指示部１４１が、格納部１０３を検索する検索部となる。
【０１４３】
なお、実施の形態１では、単に「関連番組」に「見忘れ有」マークが付与される場合（図４（ｂ）参照）、「関連番組」の放送１日前までは「関連番組」の枠に「見忘れ有」マークが付与され、放送当日になると「関連番組」より放送時刻のはやい番組の枠に「見忘れ有」マークが付与される場合（図５（ａ）、図５（ｂ）参照）、及び「関連番組」の放送所定時間前までは「関連番組」の枠に「見忘れ有」マークが付与され、放送所定時間前になると「関連番組」より放送時刻のはやい番組の枠に「見忘れ有」マークが付与される場合について説明した。
【０１４４】
また、実施の形態２では、「関連番組」の放送開始よりも「見忘れ番組」の再生時間分前の時刻を基準とし、その時刻よりも前では、「関連番組」より放送時刻のはやい番組の枠に「見忘れ有」マークが付与され、その時刻を過ぎると、「関連番組」の枠に「見忘れ有」マークが付与される場合（図７（ａ）、図７（ｂ）参照）、他の複数のチャンネルに亘って「見忘れ有」マークが付与される場合（図８参照）、及び時刻表示欄の枠に「見忘れ有」マークが表示される場合（図９参照）について説明した。
【０１４５】
このように、「見忘れ有」マークを付与する複数の例について実施の形態１、２で説明したが、「関連番組」の開始時刻が変更された場合に、「見忘れ有」マークの位置も変更させてもよい。具体的には、図１３（ａ）に示すようなＥＰＧ１１００を例に挙げて説明すると、４ｃｈの２１時から始まる連続ドラマＢ１の第３話が「見忘れ番組」とすると、ドラマＢ１の第４話は、「関連番組」となる。このドラマＢ１の第４話の放送時刻前の番組であるバラエティＢ２の枠に「見忘れ有」マーク１１０１が付されている場合、バラエティＢ２以前に放送されている野球中継Ｂ３が１時間延長されると、他の番組も１時間繰り下がるため、図１３（ｂ）のＥＰＧ１１１０に示すように、図１３（ａ）よりも１時間後に「見忘れ有」マーク１１１１が付されることになる。なお、本発明の変更前に表示すべき場所の一例は、野球中継Ｂ３が延長される前のバラエティＢ２の番組枠（４ｃｈの２０時）。また、図４（ｂ）に示すように、「見忘れ有」マークが「関連番組」の枠に示されている場合には、「関連番組」の移動に従って、「見忘れ有」マークを移動させればよい。
【０１４６】
また、「見忘れ有」マークが、「関連番組」と同じチャンネル欄であって、「関連番組」よりも早い放映時刻の番組に付されている場合、「見忘れ有」マークが付されている番組の放映時間までに「見忘れ番組」の視聴が行われていない場合には、「見忘れ有」マークを順次繰り下げていくように制御が行われても良い。
【０１４７】
具体的に説明すると、４ｃｈで２１時から始まるドラマＢ１の第３話を「見忘れ番組」とすると、「関連番組」は、図１４（ａ）のＥＰＧ１２００に示すようにドラマＢ１の第４話となる。このＥＰＧ１２００には、１９時から放映されるバラエティＢ１の枠に「見忘れ有」マーク１２０１が付与されている。そして、この１９時までに「見忘れ番組」の視聴が行われない場合、図１４（ｂ）に示すＥＰＧ１２１０のように、「見忘れ有」マーク１２１１が、バラエティＢ１の次の番組であるバラエティＢ２の枠に付与される。続いて、バラエティＢ２の始まる２０時までに、「見忘れ番組」が視聴されない場合には、図１４（ｃ）に示すＥＰＧ１２２０のように、「見忘れ有」マーク１２２１が、「関連番組」であるドラマＢ１の第４話の枠に付与される。
【０１４８】
なお、図１４（ａ）〜（ｃ）では、「見忘れ有」マーク１２０１が付与されている番組の開始時に「見忘れ番組」の視聴が行われていない場合には、「見忘れ有」マーク１２０１を以降の番組枠に移動しているが、番組が開始し、所定時間経過した後に、以降の番組枠に「見忘れ有」マーク１２０１を移動させるように制御が行われても良い。この所定時間は、任意の時間に設定してもよく、番組の終了時間に設定することもできる。
【０１４９】
また、表示画面１４７に現に表示されているＥＰＧ（スクロールをしない状態）に、「見忘れ有」マークを表示させる番組があらわれていない場合には、チャンネル表示欄のチャンネル枠にマークを付与するように制御が行われても良い。具体例を示して説明すると、４ｃｈで２１時から放映される連続ドラマＢ１の第３話を「見忘れ番組」とすると、ドラマＢ１の第４話が「関連番組」と特定される。そして図５で説明した場合と同様に、「関連番組」に「見忘れ有」マークを付与した場合、ＥＰＧ１３００を表示画面１４７に表示させたとしても、図１５（ａ）に示すように、２０時の番組表が表示されていないため、スクロールしない限り、「見忘れ有」マークをユーザに視認させることが出来ない。そこで、「関連番組」が放映されるチャンネル表示枠に「見忘れ有」マーク１３０１が付与される（図１５（ａ）参照）。
【０１５０】
そして、画面をスクロールする等して、図１５（ｂ）に示すように、２０時台の番組表が表示されると、「見忘れ有」マーク１３１１が、「関連番組」の枠に表示される。
【０１５１】
このように制御することで、「見忘れ有」マークが表示される予定の番組が、表示画面に現に表示されていない場合には、チャンネル番組欄に「見忘れ有」マークを付与することで、ユーザに「見忘れ番組」があることをより気付かせることができる。
【０１５２】
また、リモコンでＥＰＧを表示させるよう指示すると、現在放送中の番組枠が表示されるため、その番組枠に「見忘れ有」マークを表示させるように制御が行われても良い。尚、チャンネルが変更されたり、放送が次の時間帯の番組に移ると、番組の移動に伴って「見忘れ有」マークも移動するよう制御が行われる。
【０１５３】
なお、上記実施の形態１、２では、「見忘れ番組」を受信したことを本発明の視聴の一例とし、受信後、番組表表示制御部１４４が「見忘れ有」マークをＥＰＧから消去すると記載したが、これに限らず、「見忘れ番組」を表示画面１４７で表示させたこと、また「見忘れ番組」の表示画面における表示が終了したことを本発明の視聴の一例として、表示または表示の終了後、「見忘れ有」マークをＥＰＧから消去するようにしても良い。
【０１５４】
また、ユーザが「見忘れ番組」を見ない場合には、「見忘れ番組」が存在する旨の表示がされた番組の放送開始時、または放送開始から一定時間経過した後に「見忘れ有」マークをＥＰＧから消去するように制御が行われても良い。例えば、図５（ｂ）に示すように、「関連番組」であるドラマＡ１の第３話目の前に放送されるニュースＡ１の放送開始時、または放送開始から、例えば３０分後などに「見忘れ有」マークをＥＰＧから消去される。
【０１５５】
また、本発明の実施の形態１及び２では、ＥＰＧの「見忘れ有」マークを選択することで「見忘れ番組」が配信され、表示が開始されるとしたが、開始するタイミングは、選択後すぐに限らなくてもよい。このような制御を行う番組送受信システムの構成が図１６に示されている。この図１６に示す番組送受信システムには、リモコン受信部１４６が受けた信号を受けて、所定のタイミングで見忘れ番組受信部１４５に、「見忘れ番組」の受信指示を出す再生指示部１６０が設けられている。この再生指示部１６０と見忘れ番組受信部１４５が、本発明の再生部の一例に相当する。
【０１５６】
具体的に説明すると、例えば、ユーザが実施の形態２の図７（ａ）のＥＰＧ６１０において、１８時に、「見忘れ有」マークを選択したとしても、「見忘れ有」が記入された番組の開始時間、ここでは１９時になったら自動的に「見忘れ番組」の再生が開始されてもよい。更に、ＥＰＧ６００のように「関連番組」の枠に「見忘れ有」マーク６０１が付与されていたとしても、１９時以前の任意のタイミングで「見忘れ有」を選択しておけば、連続視聴できる時間、すなわち１９時に「見忘れ番組」の再生が自動的に開始されてもよい。
【０１５７】
また、「見忘れ有」マークを選択することによって、「見忘れ番組」を受信して録画が開始されてもよく、また録画予約が行われても良い。
【０１５８】
なお、上記実施の形態１、２では、ＥＰＧを表示させる指示をトリガーとして、図３に示すような制御が行われているが、放送局１００から送信される新たなＥＰＧ情報を受信したことをトリガーとして、図３のステップＳ２０２〜ステップＳ２１２が行われても良い。このように、ＥＰＧを表示画面１４７に表示させずに、番組受信装置１２０の内部で、ＥＰＧ情報を作成しておくことで、ＥＰＧの表示指示があるとすぐにＥＰＧを表示させることができる。もちろん、未視聴の判断はその時々で順次更新されることになる。
【０１５９】
なお、上記実施の形態１、２では、ユーザに「見忘れ番組」が存在することを気付かせるために、ＥＰＧに「見忘れ有」マークを付与していたが、放送番組に多重して、または放送番組と別画面で「見忘れ番組」が存在する旨を表示してもよい。図１７は、放送番組に多重して、または放送番組と別画面で「見忘れ番組」が存在する旨の表示を行う番組送受信システムの構成を示す図である。図１７に示す番組送受信システムでは、図１で説明した番組表表示制御部１４４の代わりに、映像合成表示制御部１７０が設けられている。この映像合成表示制御部１７０は、本発明の見忘れ表示制御部の一例に相当する。そして、映像合成表示制御部１７０は、見忘れ情報管理部１４３から「見忘れ番組」が格納部１０３に存在する旨の情報を受け、関連番組判定部１５４から「関連番組」が未来の所定の期間に存在する旨の情報を受けると、受信部１３０で受信した放送に、「見忘れ番組」が存在する旨の表示を合成する。
【０１６０】
図１７に示す番組送受信システムでは、番組の放送中に「見忘れ番組」が存在する旨を表示するため、制御処理が行われるトリガーとしては、ＥＰＧを表示させる指示ではなく、更新されたＥＰＧ情報の受信が用いられる。
【０１６１】
例えば、２ｃｈの２０時からのドラマＡ１の第２話を「見忘れ番組」とすると、図４（ａ）のＥＰＧ３００に示すドラマＡ１の第３話が、「関連番組」となる。すると、例えば、「関連番組」より前に放映されるニュースＡ１の放映中に、図１８（ａ）の表示画面１４７に示すように放送番組に多重して、「見忘れ有」マーク１６０１を表示することができる。なお、図１８（ｂ）の表示画面１４７に示すように、放映番組の下側に別画面１４７ａで「見忘れ有！ドラマ第２話」と記載してもよい。なお、別画面に、「見忘れ有」マークを付与してＥＰＧを表示させても良い。
【０１６２】
また、上記実施の形態１、２では、見忘れ番組配信システム１０２が設けられているが、ケーブルテレビなどのように何度も同じ放送を繰り返す場合には、見忘れ番組配信システム１０２が設けられていなくてもよい。このような場合、ＥＰＧには、再放送の予定の情報も表示した「見忘れ有」マークが、「関連番組」等に付与されればよい。この「見忘れ有」マークが選択された場合には、再放送が始まると、再放送番組を表示させるようにしても良いし、再放送番組の録画予約が行われても良い。
【０１６３】
なお、「見忘れ番組」に関連する「関連番組」を決定する規則としては、上述した規則（『「見忘れ番組」が属する「見たい番組」群に属する全ての番組は、その「見忘れ番組」の「関連番組」として特定する』）に限らずそれ以外に、連続ドラマシリーズの場合、その総集編も関連番組とし、巨人阪神戦の場合、巨人のファン感謝番組放送等も関連番組としてもよい。それぞれ予め規則として決めておけばよい。
【０１６４】
以上述べたように、本発明に係る番組受信装置は、ＥＰＧを表示する際に、未視聴の番組に関する「見忘れ番組」が配信システムに存在することを示すことが可能となり、放送と連携した、見忘れ番組視聴などに有用である。
【０１６５】
なお、本発明に係る番組受信装置は、ＣＰＵとそれに接続された入出力部とから構成し、上述の動作を実現する方法をプログラムにより構成し、ＣＰＵにより解釈して処理するように構成しても構わない。また、このプログラムを、コンピュータにより読み出し可能な記録媒体に記録したものであっても構わない。
【０１６６】
本発明のプログラムは、上述した本発明の番組受信方法の全部または一部のステップの動作をコンピュータにより実行させるプログラムであって、コンピュータと協働して動作するプログラムである。
【０１６７】
また、本発明の記録媒体は、上述した本発明の番組受信方法の全部または一部のステップの全部または一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０１６８】
また、本発明のプログラムの一利用形態は、コンピュータにより読み取り可能な、ＲＯＭ等の記録媒体に記録され、コンピュータと協働して動作する態様であっても良い。
【０１６９】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０１７０】
また、上述した本発明のコンピュータは、ＣＰＵ等の純然たるハードウェアに限らず、ファームウェアや、ＯＳ、更に周辺機器を含むものであっても良い。
【０１７１】
なお、以上説明した様に、本発明の構成は、ソフトウェア的に実現しても良いし、ハードウェア的に実現しても良い。
【産業上の利用可能性】
【０１７２】
本発明の番組受信端末は、ユーザが特に意識的に検索を行う必要が無く、また、日常行われるテレビ放送やテレビガイドを見る行動の中で、自然に見忘れ番組に気づくことが可能な効果を有し、番組送受信システム等として有用である。
【符号の説明】
【０１７３】
１００  放送局
１０１  放送番組配信システム
１０２  見忘れ番組配信システム
１０３  格納部
１０４  検索部
１０５  配信部
１１０  公衆回線網
１２０  番組受信装置
１３０  受信部
１３１  番組表情報受信部
１３２  番組表情報管理部
１４０  通信部
１４１  サーバ検索指示部
１４２  履歴管理部
１４３  見忘れ情報管理部
１４４  番組表表示制御部
１４５  見忘れ番組受信部
１４６  リモコン受信部
１４８  見忘れ番組決定部
１４９  見たい番組特定部
１５０  見たい番組検索部
１５１  履歴作成部
１５２  履歴保存部
１６０  再生指示部
１７０  映像合成表示制御部
３０１  未視聴番組抽出部
５０１  見忘れ番組時間管理部
８１０  携帯電話
８２０  通信事業者側装置
８２１  基地局
８２２  移動通信制御局
８３０  サービスセンタ
８３１  放送番組表サービスサーバ
８３２  データベース
８４０  テレビ放送局
８５１  録画装置
８５２  テレビ受信機
８６０  インターネット
【図１】
2010035406.tif 000003
【図２】
2010035406.tif 000004
【図３】
2010035406.tif 000005
【図４】
2010035406.tif 000006
【図５】
2010035406.tif 000007
【図６】
2010035406.tif 000008
【図７】
2010035406.tif 000009
【図８】
2010035406.tif 000010
【図９】
2010035406.tif 000011
【図１０】
2010035406.tif 000012
【図１１】
2010035406.tif 000013
【図１２】
2010035406.tif 000014
【図１３】
2010035406.tif 000015
【図１４（ａ）】
2010035406.tif 000016
【図１４（ｂ）】
2010035406.tif 000017
【図１４（ｃ）】
2010035406.tif 000018
【図１５】
2010035406.tif 000019
【図１６】
2010035406.tif 000020
【図１７】
2010035406.tif 000021
【図１８】
2010035406.tif 000022
【図１９】
2010035406.tif 000023
【手続補正書】
【提出日】平成22年8月19日(2010.8.19)
【手続補正１】
【補正対象書類名】明細書
【補正対象項目名】全文
【補正方法】変更
【補正の内容】
【発明の詳細な説明】
【技術分野】
【０００１】
本発明は、見忘れ番組を受信する番組受信装置、及び番組送受信システム等に関するものである。
【背景技術】
【０００２】
近年、ユーザが視聴あるいは録画をし忘れた番組（見忘れ番組）を後で視聴するために、テレビ局などが放送済みの番組を格納したサーバを設置し、インターネットなどを経由してユーザに配信する仕組み（見忘れ番組配信）などが検討、試行されている。
【０００３】
見忘れた番組を受信する方法としては、視聴者が、見忘れた番組を指定すると、自動的に当該番組の再放送が検索されて、その再放送を受信する方式が知られている。
【０００４】
以下、例えば、特許文献１に記載された従来の見忘れ番組の受信方法について説明する。
【０００５】
図１９は従来の発明の再放送番組録画指定システムを適用可能なネットワーク構成の一実施例を示す図である。図に示すように、この再放送番組録画指定システムは、登録ユーザの携帯電話８１０と、携帯電話８１０とインターネット８６０との間でデータの授受を仲介する通信事業者側装置８２０と、個人別放送番組表サービス等のサービスを行うサービス事業者（以下、放送番組表サービス事業者ともいう）によって運営されるサービスセンタ８３０と、テレビ放送局８４０（複数）と、録画装置８５１やテレビ受信機８５２等を備えた登録ユーザの家庭８５０と、それら携帯電話８１０、通信事業者側装置８２０、サービスセンタ８３０及び登録ユーザの家庭８５０等を接続するインターネット８６０とから構成されている。
【０００６】
通信事業者側装置８２０は、基地局８２１と移動通信制御局８２２から構成されている。
【０００７】
また、放送番組表サービス等のサービス事業者は、複数のテレビ放送局８４０から各チャンネル別の番組表データを得てサービスセンタ８３０のデータベース８３２に定期的または随時登録する。
【０００８】
登録ユーザは、携帯電話８１０を起動して、携帯電話８１０とサービスセンタ８３０の放送番組表サービスサーバ８３１とを通信事業者側装置８２０及びインターネット８６０を介して接続する。そして、接続直後に携帯電話８１０の画面に表示される選択メニューのうち、「再放送番組録画指示」メニューを選択した後、見忘れ番組が放送された日付及びチャンネルを選択する。
【０００９】
次に、携帯電話８１０に表示される、上記指定日付、指定チャンネルの複数の過去番組のうち見忘れ番組をユーザが指定すると、携帯電話（再放送番組指定要求元の携帯電話）８１０は、指定された見忘れ番組の識別情報を、通信事業者側装置８２０及びインターネット８６０を介して、サービスセンタ８３０に送信する。なお、この指定の仕方は一例であり、ダイレクトに番組名を指定するようにしてもよい。
【００１０】
サービスセンタ８３０の放送番組表サービスサーバ８３１は、携帯電話８１０から見忘れ番組の識別情報を受信するとデータベース８３２に登録されている番組表データをサーチし、再放送番組があると、その番組情報を再放送番組録画要求元の携帯電話８１０に送信する。この再放送番組データの検索方法としては、テレビ放送局の番組データベース若しくはテレビ放送局から提供を受けた番組データベースを検索する方法もあるし、番組情報自体に再放送日時情報が付加されていてもよい。ケーブルテレビなど１つの番組を何度も繰り返し放送する場合は、番組名と放送日時の対照表が用意してあることが多い。
【００１１】
再放送番組録画要求元の携帯電話８１０は、受信した再放送番組情報を表示し、ユーザが録画指示操作を行うと録画指示を放送番組表サービスサーバ８３１に送信する。
【００１２】
その結果、放送番組表サービスサーバ８３１は再放送番組録画要求元の携帯電話８１０のユーザの録画装置８５１に再放送番組情報（再放送番組の放送時刻及びチャンネル情報等）を含む録画予約設定指示を、インターネット８６０を介して送信する。
【００１３】
再放送番組予約要求元の携帯電話８１０のユーザの録画装置８５１は、放送時刻が到来すると予約チャンネルのテレビ放送局８４０から放送される再放送番組を受信して、装着された記録媒体に録画する。
【００１４】
また、見忘れ番組を視聴するきっかけとして、ユーザ自身が気づいて視聴する場合のほかに、ユーザが見た分だけ視聴料を払うペーパービュー方式において、見忘れた番組があった場合、ローカル双方向テレビ番組ガイドで、ペイパービュー番組を見逃したというリマインダを表示する方式がある（特許文献２）。
【先行技術文献】
【特許文献】
【００１５】
【特許文献１】特開２００４−２００８８２号公報
【特許文献２】特表２００２−５２１８７４号公報
【発明の概要】
【発明が解決しようとする課題】
【００１６】
しかしながら、このように、（特許文献１）の従来の見忘れ番組の視聴方法では、ユーザが指定したタイミングで見忘れた番組の再放送を検索するもので、ユーザが意識的に検索を行わないと、いつまでも見忘れたままになってしまう課題があった。
【００１７】
また、（特許文献２）の従来のリマインダ方式では、単に見逃したことを通知するに止まり、それ以上のユーザへの工夫は無く、結局ユーザが見忘れたままになってしまう課題があった。
【００１８】
本発明は、このような従来の視聴技術における課題を解決するもので、ユーザが特に意識的に検索を行う必要が無く、また、日常行われるテレビ放送やテレビガイドを見る行動の中で、自然に見忘れ番組に気づくことが可能な番組受信端末、番組送受信システム等を提供する。
【課題を解決するための手段】
【００１９】
上記目的を達成するために、第１の本発明は、
視聴するために番組を受信する受信部と、
視聴した番組に基づいて視聴履歴を作成する履歴作成部と、
作成された前記視聴履歴を保存する履歴保存部と、
前記視聴履歴に基づいて、視聴者の見たい番組を特定する見たい番組特定部と、
前記見たい番組と、所定の時刻を基準とする視聴または未視聴の結果に基づいて見忘れ番組を特定する、見忘れ番組特定部と、
前記所定の時刻より未来の所定の期間における番組群のなかに、前記見忘れ番組から所定の規則に基づいて特定される関連番組が存在するかどうかを判断する関連番組判定部と、
前記関連番組が存在する場合は、前記見忘れ番組が存在する旨の表示を行わせる見忘れ表示制御部とを備えた、番組受信端末である。
【００２０】
また、第２の本発明は、
番組を配信するシステムが、前記見忘れ番組を配信することが出来ない場合には、前記見忘れ表示制御部は、前記見忘れ番組が存在する旨の表示を行わせない、第１の本発明の番組受信端末である。
【００２１】
また、第３の本発明は、
番組を配信するシステムが、前記見たい番組を配信することが出来ない場合には、前記見忘れ番組特定部、前記関連番組判定部、及び前記見忘れ表示制御部の動作の全部または一部が停止される、第１の本発明の番組受信端末である。
【００２２】
また、第４の本発明は、
前記見忘れ番組特定部は、
前記所定の時刻より過去の所定の期間における全ての番組に前記見たい番組があるか否かを検索する見たい番組検索部と、
前記検索によって見つかった見たい番組のうち未視聴の番組があるか否かを検索し、その検索によって見つかった番組を見忘れ番組として決定する、見忘れ番組決定部とを有する、第１の本発明の番組受信端末である。
【００２３】
また、第５の本発明は、
前記見忘れ番組特定部は、
前記所定の時刻より過去の所定の期間における全ての番組から未視聴番組を抽出する未視聴番組抽出部と、
前記未視聴番組の中で前記見たい番組があるか否かを検索し、検索によって見つかった番組を前記見忘れ番組として決定する、見忘れ番組決定部とを有する、第１の本発明の番組受信端末である。
【００２４】
また、第６の本発明は、
前記関連番組とは、前記見忘れ番組が属する前記見たい番組の中の少なくとも１つの番組のことである、第１の本発明の番組受信端末である。
【００２５】
また、第７の本発明は、
番組表情報を受信する番組表情報受信部を備え、
前記見忘れ表示制御部は、前記番組表情報に基づいた番組表を表示させる際、前記番組表に前記見忘れ番組が存在する旨の表示を行わせる、番組表表示制御部である、第１の本発明の番組受信端末である。
【００２６】
また、第８の本発明は、
前記見忘れ表示制御部は、前記関連番組の開始または終了するまでの所定時間前になると、前記見忘れ番組の存在する旨の表示を視聴画面に多重して、または視聴画面と別画面で表示させる、映像合成表示制御部である、第１の本発明の番組受信端末である。
【００２７】
また、第９の本発明は、
前記番組表表示制御部は、前記見忘れ番組が存在する旨の表示を、前記関連番組の属するチャンネルの番組欄のいずれかの枠に表示させる、第７の本発明の番組受信端末である。
【００２８】
また、第１０の本発明は、
前記番組表表示制御部は、前記見忘れ番組が存在する旨の表示を時刻表示欄に表示させる、第７の本発明の番組受信端末である。
【００２９】
また、第１１の本発明は、
前記関連番組の開始時刻が変更された場合、前記番組表表示制御部は、前記見忘れ番組が存在することを示す旨の表示を、前記変更前に表示すべき場所から移動させる、第７の本発明の番組受信端末である。
【００３０】
また、第１２の本発明は、
前記番組表表示制御部は、前記見忘れ番組の視聴時、または前記見忘れ番組が存在する旨の表示がなされた番組の番組開始時、または前記見忘れ番組が存在することを示す旨の表示がなされた番組開始の一定時間経過後に、前記見忘れ番組が存在する旨の表示を前記番組表から消去させる、第７の本発明の番組受信端末である。
【００３１】
また、第１３の本発明は、
前記番組表表示制御部は、前記見忘れ番組が存在する旨の表示が、現に表示された番組表内に表示されていない場合には、前記見忘れ番組が存在する旨の表示を、前記現に表示されている番組表のチャンネル表示欄に表示させる、第７の本発明の番組受信端末である。
【００３２】
また、第１４の本発明は、
前記番組表表示制御部は、前記見忘れ番組が存在する旨の表示を、前記関連番組の枠に表示させる、第９の本発明の番組受信端末である。
【００３３】
また、第１５の本発明は、
前記番組表表示制御部は、前記見忘れ番組が存在する旨の表示を、前記関連番組の放送開始の所定の時間前までは前記関連番組の枠に表示し、前記関連番組の放送開始の所定の時間以後は、前記関連番組より以前に放送される番組の枠に表示させる、第９の本発明の番組受信端末である。
【００３４】
また、第１６の本発明は、
前記番組表表示制御部は、前記見忘れ番組が存在する旨の表示を、前記関連番組の放送開始日前までは前記関連番組の枠に表示し、前記関連番組の放送開始日は前記関連番組より以前に放送される番組の枠に表示させる、第１５の本発明の番組受信端末である。
【００３５】
また、第１７の本発明は、
前記見忘れ番組の再生時間を管理する、見忘れ番組時間管理部を備え、
前記番組表表示制御部は、前記見忘れ番組が存在する旨の表示を、前記関連番組の放送開始より、少なくとも前記再生時間分前に開始する番組の枠に表示させる、第９の本発明の番組受信端末である。
【００３６】
また、第１８の本発明は、
前記見忘れ番組時間管理部は、１つの前記関連情報に対する前記見忘れ番組が複数存在する場合には、前記複数の見忘れ番組の各々の再生時間を合計した時間を再生時間とする、第１７の本発明の番組受信端末である。
【００３７】
また、第１９の本発明は、
前記番組表表示制御部は、前記見忘れ番組が存在する旨の表示を、前記関連番組と同じ時間帯の複数のチャンネルの番組の枠にわたって、または前記関連番組以前の番組と同じ時間帯の複数のチャンネルの番組の枠にわたって表示させる、第９の本発明の番組受信端末である。
【００３８】
また、第２０の本発明は、
前記番組表表示制御部は、前記見忘れ番組が存在することを示す旨の表示が、前記関連番組より前の番組の枠に表示されている場合、
前記見忘れ番組が存在することを示す旨の表示がなされた番組開始時または番組開始から一定時間経過後に、前記見忘れ番組の視聴が開始されていない時には、前記見忘れ番組を存在することを示す旨の表示を、前記関連番組まで、以降の番組欄に順次移動させる、第９の本発明の番組受信端末である。
【００３９】
また、第２１の本発明は、
前記番組表表示制御部は、前記番組表中の、現在視聴中の番組の番組枠に、前記見忘れ番組が存在する旨の表示を行わせる、第７の本発明の番組受信端末である。
【００４０】
また、第２２の本発明は、
前記表示に対応する選択がユーザによってなされた場合には、前記関連番組の開始時刻の所定時間前になると、前記見忘れ番組を再生する再生部を備えた、第１の本発明の番組受信端末である。
【００４１】
また、第２３の本発明は、
前記表示に対応する選択がユーザによってなされた場合には、前記見忘れ番組を録画する、第１の本発明の番組受信端末である。
【００４２】
また、第２４の本発明は、
番組を放送する番組放送局と、
視聴するために前記番組を受信する受信部、視聴した番組に基づいて視聴履歴を作成する履歴作成部、作成された前記視聴履歴を保存する履歴保存部、前記視聴履歴に基づいて、視聴者の見たい番組を特定する見たい番組特定部、前記見たい番組と、所定の時刻を基準とする視聴または未視聴の結果に基づいて見忘れ番組を特定する、見忘れ番組特定部と、前記所定の時刻より未来の所定の期間における番組群のなかに、前記見忘れ番組から所定の規則に基づいて関連番組を特定する関連番組が存在するかどうかを判断する関連番組判定部、及び前記関連番組が存在する場合は、前記見忘れ番組が存在する旨の表示を行わせる見忘れ表示制御部とを備えた、番組受信端末と、
前記番組を格納する格納部、前記格納部に前記見忘れ番組が存在するか否かを検索する検索部、及び前記見忘れ番組を前記番組受信端末に配信する配信部を備えた番組配信装置を備え、
前記格納部に前記見忘れ番組が存在しない場合、前記見忘れ表示制御部は、前記見忘れ番組が存在する旨の表示を行わない、番組送受信システムである。
【００４３】
また、第２５の本発明は、
受信部によって、視聴するために番組を受信する受信ステップと、
履歴作成部によって、視聴した番組に基づいて視聴履歴を作成する履歴作成ステップと、
履歴保存部によって、作成された前記視聴履歴を保存する履歴保存ステップと、
見たい番組特定部によって、前記視聴履歴に基づいて、視聴者の見たい番組を特定する見たい番組特定ステップと、
見忘れ番組特定部によって、前記見たい番組と、所定の時刻を基準とする視聴または未視聴の結果に基づいて見忘れ番組を特定する見忘れ番組特定ステップと、
関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、
見忘れ表示制御部によって、前記関連番組が存在する場合は、前記見忘れ番組が存在する旨の表示を行わせる表示ステップとを備えた、番組受信方法である。
【００４４】
また、第２６の本発明は、
第２５の本発明の番組受信方法の、履歴作成部によって、視聴した番組に基づいて視聴履歴を作成する履歴作成ステップと、履歴保存部によって、作成された前記視聴履歴を保存する履歴保存ステップと、見たい番組特定部によって、前記視聴履歴に基づいて、視聴者の見たい番組を特定する見たい番組特定ステップと、見忘れ番組特定部によって、前記見たい番組と、所定の時刻を基準とする視聴または未視聴の結果に基づいて見忘れ番組を特定する見忘れ番組特定ステップと、関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、見忘れ表示制御部によって、前記関連番組が存在する場合は、前記見忘れ番組が存在する旨の表示を行わせる表示ステップとをコンピュータに実行させるプログラムである。
【００４５】
また、第２７の本発明は、
第２６の本発明のプログラムを記録した記録媒体であって、コンピュータにより処理可能な記録媒体である。
【発明の効果】
【００４６】
本発明によれば、ユーザが特に意識的に検索を行う必要が無く、また、日常行われるテレビ放送やテレビガイドを見る行動の中で、自然に見忘れ番組に気づくことが可能な番組受信端末、番組送受信システム等を提供する。
【図面の簡単な説明】
【００４７】
【図１】本発明の実施の形態１における番組送受信システムの構成を表す図
【図２】本発明の実施の形態１における番組受信装置の制御処理の流れを示す図
【図３】本発明の実施の形態１における番組受信装置の制御処理の流れを示す図
【図４】（ａ）、（ｂ）本発明の実施の形態１における番組受信装置が生成するＥＰＧの一例を表す図
【図５】（ａ）、（ｂ）本発明の実施の形態１における番組受信装置が生成するＥＰＧの別の一例を表す図
【図６】本発明の実施の形態２における番組送受信システムの構成を表す図
【図７】（ａ）、（ｂ）本発明の実施の形態２における番組受信装置が生成するＥＰＧの一例を表す図
【図８】本発明の実施の形態２における番組受信装置が生成するＥＰＧの別の一例を表す図
【図９】本発明の実施の形態２における番組受信装置が生成するＥＰＧの別の一例を表す図
【図１０】本発明の実施の形態１における番組送受信システムの他の一例の構成を示す図
【図１１】図１０に示す番組受信装置の制御処理の流れを示す図
【図１２】図１０に示す番組受信装置の制御処理の変形例を示す図
【図１３】（ａ）、（ｂ）本発明の実施の形態１、２における番組送受信装置が生成するＥＰＧのシステムの他の一例を表す図
【図１４（ａ）】本発明の実施の形態１、２における番組送受信装置が生成するＥＰＧのシステムの他の一例を表す図
【図１４（ｂ）】本発明の実施の形態１、２における番組送受信装置が生成するＥＰＧのシステムの他の一例を表す図
【図１４（ｃ）】本発明の実施の形態１、２における番組送受信装置が生成するＥＰＧのシステムの他の一例を表す図
【図１５】（ａ）、（ｂ）本発明の実施の形態１、２における番組送受信装置が生成するＥＰＧのシステムの他の一例を表す図
【図１６】本発明の実施の形態１における番組送受信システムの他の一例の構成を示す図
【図１７】本発明の実施の形態１における番組送受信システムの他の一例の構成を示す図
【図１８】（ａ）、（ｂ）本発明の実施の形態１における番組送受信システムの他の一例における表示画面を表す図
【図１９】従来の番組受信システムを表す図
【発明を実施するための形態】
【００４８】
以下、本発明にかかる実施の形態について図面を参照しながら説明する。
【００４９】
（実施の形態１）
以下に、本発明にかかる実施の形態１の番組送受信システムについて、図面を参照しながら説明する。
【００５０】
図１は、本発明の実施の形態１における番組送受信システムの構成を表す図である。
【００５１】
図１に示すように、本実施の形態１の番組送受信システムには、番組を放送する放送局１００と、放送される番組を受信するためにユーザーが所有している番組受信装置１２０が設けられている。
【００５２】
この放送局１００には、地上波、衛星波、及びインターネットなどを用いて現在または将来に放送する番組を配信する放送番組配信システム１０１と、既に放送された番組を蓄積し、配信する配信サーバなどを有する、見忘れ番組配信システム１０２が設けられている。
【００５３】
また、見忘れ番組配信システム１０２には、既に放送された番組を蓄積する格納部１０３と、格納部１０３内の番組を検索する検索部１０４と、検索によって発見された番組を番組受信装置１２０へと配信する配信部１０５が設けられ、配信サーバを構成している。
【００５４】
次に、本発明の番組受信端末の一例に相当する番組受信装置１２０について説明する。
【００５５】
また、本実施の形態１における番組受信装置１２０には、放送局１００からの放送を受信する受信部１３０と、放送番組の電子番組表（ＥＰＧ）を受信する番組表情報受信部１３１と、番組表情報受信部１３１で受信したＥＰＧ情報を管理する番組表情報管理部１３２が設けられている。
【００５６】
また、ユーザがチャンネル選択して受信した番組に基づいて、視聴履歴を作成し、視聴の傾向や履歴を管理する履歴管理部１４２が設けられている。
【００５７】
この履歴管理部１４２には、過去の所定の期間におけるＥＰＧ情報と、受信した番組に基づいて視聴履歴を作成する履歴作成部１５１と、作成した視聴履歴を保存する履歴保存部１５２と、視聴履歴に基づいて、視聴者の「見たい番組」を特定する見たい番組特定部１４９が設けられている。更に、履歴管理部１４２には、見たい番組特定部１４９によって特定された「見たい番組」が、過去の所定の期間（例えば、３週間）における全ての番組の中に有るか否かを検索する、見たい番組検索部１５０が設けられている。そして、「見たい番組」が存在する場合に、検索によって見つかった「見たい番組」の中に未視聴の番組があるか否かを検索し、「未視聴番組」が有る場合には、その「未視聴番組」を「見忘れ番組」として決定する見忘れ番組決定部１４８が設けられている。
【００５８】
また、番組受信装置１２０には、インターネットなどの公衆回線網１１０を経由して放送局１００の見忘れ番組配信システム１０２と接続される通信部１４０と、格納部１０３の中から「見忘れ番組」の所在を検索させるための指示を通信部１４０を介して検索部１０４に送るサーバ検索指示部１４１が設けられている。また、検索部１０４で検索した「見忘れ番組」に関する情報を、通信部１４０を介して受信し管理する、見忘れ情報管理部１４３が設けられている。この「見忘れ番組」に関する情報には、「見忘れ番組」が格納部１０３に存在するか否かの情報が含まれている。また、「見忘れ番組」が存在する場合には、その再生時間などの情報も、「見忘れ番組」に関する情報に含まれている。
【００５９】
また、番組受信装置１２０には、「見忘れ番組」から所定の規則に基づいて、「見忘れ番組」に関連する「関連番組」を特定する関連番組特定部１５３と、ＥＰＧ情報から、未来の所定の期間における番組群の中に、「関連番組」が存在するか否かを判定する関連番組判定部１５４が設けられている。
【００６０】
また、番組受信装置１２０には、格納部１０３に「見忘れ番組」が存在し、且つ「関連番組」が存在する場合に、ＥＰＧに「見忘れ番組」の存在を示すマークを付与させる番組表表示制御部１４４が設けられている。この番組表表示制御部１４４は、本発明の見忘れ表示制御部の一例に相当する。
【００６１】
また、番組受信装置１２０には、ユーザからの操作入力を受け付けるリモコン受信部１４６と、リモコンによってマークが選択されることによって、見忘れ番組配信システム１０２から「見忘れ番組」を受信する、見忘れ番組受信部１４５が設けられている。
【００６２】
なお、受信部１３０で受信した放送やそれに関する情報、見忘れ番組受信部１４５で受信した「見忘れ番組」やそれに関する情報、ＥＰＧ情報などは、表示画面１４７により表示される。この表示画面の一例としては、ディスプレイなどが相当する。また、番組受信装置１２０の例としては、ＴＶなどが相当する。
【００６３】
次に、本実施の形態１の番組送受信システムの動作について、図面を参照しながら説明するとともに、本発明の番組受信方法の一例についても同時に述べる。
【００６４】
はじめに、本実施の形態の番組送受信システムの動作の概要について説明した後、後述する図２及び図３のような処理の流れを示す図を用いて、より具体的に説明する。
【００６５】
図１において、ユーザが放送番組を受信部１３０で受信すると、履歴管理部１４２では、受信した番組名や時刻などとともに、過去のＥＰＧ情報から視聴履歴が作成され、記録される。
【００６６】
履歴管理部１４２では、視聴履歴から見忘れた可能性のある番組である「見忘れ番組」を後述するようにして特定して、サーバ検索指示部１４１から、検索を指示する旨の命令が通信部１４０を通じて放送局１００に送信される。
【００６７】
そして、「見忘れ番組」の有無が検索され、「見忘れ番組」が放送局１００の見忘れ番組配信システム１０２に存在すれば、番組表表示制御部１４４において、番組表の中の、その「見忘れ番組」に関連する番組である「関連番組」に「見忘れ有」マークが付与される。なお、「関連番組」は、番組表情報管理部１３２で管理されている。
【００６８】
例えば、ドラマなどのシリーズ番組が放送されている場合、ユーザが、その第１話を視聴したにも関わらず、第２話を視聴していなかった場合には、その第２話が「見忘れ番組」と特定される。そして、そのドラマの次回以降の番組が、「見忘れ番組（第２話）」の「関連番組」と特定される。つまり、第２話が「見忘れ番組」であり、見忘れ番組配信システム１０２に第２話が存在していれば、ＥＰＧにおいて、そのドラマの「関連番組」である第３話の枠に「見忘れ有」マークが表示されることになる。
【００６９】
そして、ユーザがＥＰＧに表示された「見忘れ有」マークを、リモコンなどの操作で選択することにより、リモコン受信部１４６はリモコンからの選択指示を受け、見忘れ番組配信システム１０２との通信を接続する。そして、見忘れ番組配信システム１０２から、見忘れ番組と同じ内容の番組が送信され、その番組は、見忘れ番組受信部１４５によって受信され、表示画面１４７に表示される。
【００７０】
次に、本発明の実施の形態１における番組受信装置１２０の処理について、図面を参照しながら、より具体的に説明する。
【００７１】
はじめに、図２は、本発明の実施の形態１における番組受信装置１２０が日頃行っておく動作の処理の流れを示す図である。なお、図面、及び本明細書においてステップのことをＳと省略して記載する。
【００７２】
番組受信装置１２０が日頃行っておく処理（履歴作成、見たい番組の特定）について説明する。
【００７３】
図２において、ユーザが放送番組を受信部１３０で受信する（Ｓ１０１）と、受信した番組名や時刻などを履歴作成部１５１が抽出する（Ｓ１０２）。一方、履歴作成部１５１には、ＥＰＧ情報も送信され（Ｓ１０３）、履歴作成部１５１は、このＥＰＧ情報と抽出した番組名や時刻などから、過去の所定期間において視聴した番組名及び時刻などの視聴履歴を作成する（Ｓ１０４）。そして、この視聴履歴及びＥＰＧ情報等は、履歴保存部１５２に保存される（Ｓ１０５）。なお、本発明の受信ステップの一例は、ステップＳ１０１に相当する。また、本発明の履歴作成ステップの一例は、ステップＳ１０４に相当し、本発明の履歴保存ステップの一例は、ステップＳ１０５に相当する。
【００７４】
履歴管理部１４２では、履歴保存部１５２に保存されている視聴履歴に基づいて、予め決められた規則に基づき、見たい番組特定部１４９が、ユーザの「見たい番組」を特定する（Ｓ１０６）。例えば、図４（ａ）に示すＥＰＧにおける、２ｃｈで２０時から放送される連続ドラマＡ１などのシリーズ番組などにおいて、第１話を視聴した場合に、「見たい番組」は連続ドラマＡ１の第２話以降の第３話、第４話、・・・と特定される。この場合は、予め決められた規則とは、『連続ドラマの場合どれか１話でも視聴されると、その連続ドラマのシリーズ全番組が「見たい番組」として特定される』という規則である。ここで、「見たい番組」は、複数種類選択されても良く、例えば、プロ野球の巨人阪神戦や、２チャンネルの２１時のニュースＡ２番組を「見たい番組」とすることができる。なお、この場合の予め決められた規則とは、『過去の視聴の履歴の中で、統計的にみて、特定の番組の視聴の回数が他の同種の番組に比べて格段に多い場合（例えば３倍以上）、その特定の番組の全てが「見たい番組」として特定される』という規則である。なお、このステップＳ１０６が、本発明の見たい番組特定ステップの一例に相当する。
このように、視聴履歴作成や「見たい番組」の特定を日常行っているが、次に、ユーザがＥＰＧを表示画面１４７で見る場合の番組送受信システムの動作について説明する。この説明とともに、本発明の番組受信方法の一例である、番組受信装置１２０の動作についても同時に述べる。
【００７５】
図３は、本発明の実施の形態１における番組受信装置１２０が、ユーザからＥＰＧの表示指示を受けた場合に実行する処理の流れを示す図である。また、図４（ａ）は、ＥＰＧの一例を示す図である。なお、ＥＰＧにおいて、行または列を欄と呼び、１つのマス目を枠と呼ぶ。
【００７６】
図３において、ＥＰＧを表示画面１４７に表示させる指示が、リモコン受信部１４６によって受信される（Ｓ２０１）と、履歴管理部１４２では、履歴保存部１５２において管理している視聴履歴情報から「見忘れ番組」が特定される（Ｓ２０２、Ｓ２０３、Ｓ２０５）。
【００７７】
詳しく説明すると、見たい番組特定部１４９によって特定された「見たい番組」が、過去の所定の期間（３週間）における全ての番組の中にあるか否かについての検索が、見たい番組検索部１５０によって行われる（Ｓ２０２）。ここで、複数種類の「見たい番組」がある場合には、先ず、１つの種類の番組が選択され、その選択された番組が、過去の所定の期間における全ての番組の中にあるか否かが検索される。ここでは、連続ドラマＡ１が選択されているものとする。
【００７８】
「見たい番組」が存在する場合には、見忘れ番組決定部１４８によって、検索によって見つかった過去の「見たい番組」の中に未視聴の番組があるか否かの検索が行われる（Ｓ２０３）。この「未視聴番組」があるか否かの検索は、履歴保存部１５２の視聴履歴と、検索によって見つかった「見たい番組」を用いて行われる。そして、検索によって未視聴の番組が存在する場合には、その「未視聴番組」が「見忘れ番組」として決定される（Ｓ２０５）。例えば、連続ドラマＡ１のうち第２話が視聴されていなかった場合には、「見たい番組」の中に、「未視聴番組」が存在するため、連続ドラマＡ１の第２話が「見忘れ番組」と決定される。上記ステップＳ２０２、ステップＳ２０３、及びステップＳ２０５が、本発明の見忘れ番組特定ステップの一例に相当する。
【００７９】
なお、上述のように、「見たい番組」の特定は、日頃端末が特定しているが、必ずしもこれに限らず、日頃は行わず、番組表（ＥＰＧ）を表示させる指示の後で、「見たい番組」を特定してもよい。
【００８０】
一方、ステップ２０２において、「見たい番組」が、過去の所定の期間（３週間）における全ての番組の中に見つからなかった場合には、制御は、ステップＳ２１２へと進み、他の種類の「見たい番組」が有るか否かの判定が行われる。例えば、他の種類の「見たい番組」として、プロ野球の巨人阪神戦がある場合には（Ｓ２０４）、制御はステップＳ２０２へと戻り、プロ野球の巨人阪神戦についての「見たい番組」が、過去の所定の期間（３週間）における全ての番組の中に存在するか否かのチェックが行われる。
【００８１】
また、ステップ２０３において、検索によって見つかった「見たい番組」の中に、「未視聴番組」が見つからなかった場合にも、制御は、ステップＳ２１２へと進み、他の種類の「見たい番組」が有るか否かの判定が行われる。
【００８２】
上記ステップＳ２０５において、「見忘れ番組」が特定された場合、サーバ検索指示部１４１が、通信部１４０を介して、見忘れ番組配信システム１０２に「見忘れ番組」の有無を検索させる指示を行う（Ｓ２０６）。すなわち、連続ドラマＡ１の第２話の「見忘れ番組」が格納部１０３に格納されているかどうか検索するようにサーバ検索指示部１４１は、見忘れ番組配信システム１０２に指示する。すると、検索部１０４が、格納部１０３の検索を行い、「見忘れ番組」が放送局１００の見忘れ番組配信システム１０２に存在するか否かのチェックが行われる（Ｓ２０７）。
【００８３】
そして、「見忘れ番組」が格納部１０３内に存在する場合、サーバ検索指示部１４１は、「見忘れ番組」が存在する旨を、見忘れ情報管理部１４３へと伝える。
【００８４】
もし、ステップＳ２０７において、格納部１０３に「見忘れ番組」が存在しなければ、履歴管理部１４２において、見忘れ番組決定部１４８が、連続ドラマＡ１についての「見忘れ番組」の有無をチェックしたことを記録する（Ｓ２１７）。
【００８５】
そして、処理はステップ２１２へと進み、他の種類の「見たい番組」があるか否かについて、見忘れ番組決定部１４８において、判定が行われる。なお、一度、格納部１０３の中の存在をチェックした番組に関しても、後日見忘れ番組が放送局１００の見忘れ番組配信システム１０２の配信サーバに登録されることもあるので、定期的にチェックしてもよい。
【００８６】
一方、ステップＳ２０７において、「見忘れ番組」が格納部１０３の中に存在する場合、ステップＳ２０８において、予め定められた所定の規則に従って、「関連番組」が関連番組特定部１５３によって特定される。具体的には、２チャンネルの連続ドラマＡ１の第２話が「見忘れ番組」と特定されているが、その第２話の次回以降（或いは特定された連続ドラマ全て）の番組が、この「見忘れ番組」の「関連番組」と特定される。なお、この場合の所定の規則は、『「見忘れ番組」が属する「見たい番組」群に属する全ての番組は、その「見忘れ番組」の「関連番組」として特定する』という規則である。例えば、上述のように「見たい番組」として所定の連続ドラマが特定されている場合、見忘れたＸ話目の以降の各話番組（あるいはその所定の連続ドラマ全て）を、見忘れたＸ話番組に関連する「関連番組」として特定するということになる。あるいは「見たい番組」として巨人阪神戦が特定されている場合、（今日よりも以前に放送された）見忘れた５月１日の巨人阪神戦番組について、その他の巨人阪神戦の番組群が「関連番組」となる。
【００８７】
上記ステップＳ２０８において、「関連番組」が特定されると、番組表情報管理部１３２で管理されている、今後の２週間分のＥＰＧの番組の中に、その「見忘れ番組」の「関連番組」があるか否かのチェックが、関連番組判定部１５４において行われる（Ｓ２０９）。そして、ステップＳ２１０において「関連番組」がＥＰＧに存在する場合は、その旨が番組表表示制御部１４４へと送信される。
【００８８】
一方、もし、「関連番組」（ここでは連続ドラマＡ１の第３話目など）がなければ（Ｓ２１０）、見忘れ番組決定部１４８が、「関連番組」の有無をチェックした「見忘れ番組」の種類を記録する（Ｓ２１７）。そして、制御は、ステップＳ２１２へと進み、他の種類の「見たい番組」があるか否かが、見たい番組特定部１４９において判定される。なお、一度チェックした「関連番組」に関しても、後に配信されるＥＰＧに存在する場合があるため、定期的にチェックする方がより好ましい。
【００８９】
ステップＳ２１０において、もし、「関連番組」（ここでは連続ドラマＡ１の第３話）が存在する場合には、番組表表示制御部１４４は、ＥＰＧの連続ドラマＡ１の第３話の枠に「見忘れ有」マークを表示する（Ｓ２１１）。なお、ステップＳ２０８、ステップＳ２０９、及びステップＳ２１０が、本発明の関連番組判定ステップの一例に相当する。
【００９０】
次に、ステップＳ２１２において、他の種類の「見たい番組」が存在するか否かが、見たい番組特定部１４９によって、判定される（Ｓ２１２）。もし、他の種類の「見たい番組」が存在する場合には、処理は、ステップＳ２０２へと戻り、その他の種類の「見たい番組」が過去の所定期間内の番組の中に存在するか否かの判定が行われる。すなわち、連続ドラマＡ１に関する処理の終了後に、プロ野球の巨人阪神戦、続いて２ｃｈの２１時から始まるニュースＡ２に関して、ステップＳ２０２〜ステップＳ２１１までの処理が行われる。
【００９１】
全ての種類の「見たい番組」に関する処理が終了した後に、番組表表示制御部１４４は、表示画面１４７にＥＰＧを表示させる（Ｓ２１３）。図４（ｂ）には、「見忘れ有り」のマークが示されたＥＰＧの一例３１０が示されている。このステップＳ２１３が、本発明の表示ステップの一例に相当する。図４（ｂ）には、ドラマＡ１の第３話にのみ「見忘れ有り」マークが表示されている例を示しているが、もちろんニュースＡ２についても「見たい番組」として判断され、「未視聴番組」が存在するのであれば、「見忘れ有り」マークが表示される。
【００９２】
ユーザが、ＥＰＧにおいて、連続ドラマＡ１第３話の枠で、リモコンの決定ボタンを押すと、通常は連続ドラマＡ１の第３話の情報が表示されるが、例えばデータ放送受信用ボタンなど、特定のボタンを押すと、「見忘れ有」マーク３１１の方が選択される（Ｓ２１４）。
【００９３】
すると、リモコン受信部１４６はリモコンからの選択指示を受け、番組受信装置１２０は、通信部１４０を経由して見忘れ番組配信システム１０２の格納部１０３にアクセスする。そして、見忘れ番組受信部１４５で「見忘れ番組」を受信することで、表示画面１４７に「見忘れ番組」が表示され（Ｓ２１５）、「見忘れ番組」の視聴が開始される（Ｓ２１５）。
【００９４】
なお、「見忘れ番組」を受信した後、番組表表示制御部１４４が、「見忘れ有」マーク３１１をＥＰＧから消去する。
【００９５】
すなわち、本実施の形態では、ユーザが視聴あるいは録画をし忘れた、またはその可能性のある番組である「見忘れ番組」がある場合には、そのことを示すアイコンなどをＥＰＧなどに表示することで、ユーザが「見忘れ番組」の有無を確認できる。また、そのアイコンをユーザが選択することにより、番組視聴端末は放送局に蓄積された番組配信システムから取得した「見忘れ番組」を再生できる。
【００９６】
以上のように、本実施の形態１の番組受信装置１２０は、連続ドラマなどで、見忘れた回を、次の回が開始されるまで見ておきたい場合などに、例え、自分が「見忘れ番組」の存在を忘れていてもテレビ視聴や録画の際によく利用されるＥＰＧを見るだけで、次の回（関連する番組）をトリガー（契機）として、次の回がはじまるまでに、ユーザに「見忘れ番組」の存在をより気付かせることが可能となる。このように、連続性のある番組の見忘れに対しても配慮しており、ユーザに対して非常に親切な装置である。
【００９７】
なお、本実施の形態１では、「見忘れ有」マークを「関連番組」の枠に表示することのみが示されていたが、これに限るものではない。例えば、「見忘れ有」のマーク位置は、ＥＰＧにおいて、「見忘れ番組」の「関連番組」が放送される当日は、「関連番組」以前の番組の枠に表示し、「関連番組」が放送される前日までは、「見忘れ番組」の存在がわかりやすいように、「見忘れ番組」の「関連番組」の枠に表示することで、ユーザに日付に応じて適切に「見忘れ番組」の存在を通知することが可能となる。
【００９８】
具体的には、図５（ａ）に示すように「見忘れ番組」の「関連番組」が５月１１日に放送される場合、「見忘れ有」のマークは、前日（ここでは５月１０日）までは、ＥＰＧ４００のように、「見忘れ番組」の「関連番組」である連続ドラマＡ１の第３話の枠内に「見忘れ有」マーク４０１が表示される。そして、図５（ｂ）に示すように放送当日である５月１１日は、ＥＰＧ４１０のように、「関連番組」以前の番組、ここではニュースＡ１の欄に「見忘れ有」マーク４１１が表示される。
【００９９】
また、日単位ではなく時間単位で「見忘れ有」マークの移動が行われても良い。具体的には、「関連番組」である連続ドラマＡ１の第３話の放送開始の、例えば４時間前までは、「見忘れ有」マークが「関連番組」の枠内に表示される。そして、「関連番組」の放送開始までの時間が４時間より少なくなると、「関連番組」以前の番組であるニュースＡ１の枠内に「見忘れ有」マークが表示される。
【０１００】
なお、サーバ検索指示部１４１で用いる、見忘れ番組配信システム１０２のサーバ検索用の情報、例えばサーバのＵＲＬ（Ｕｎｉｆｏｒｍ  Ｒｅｓｏｕｒｃｅ  Ｌｏｃａｔｏｒ）などは、あらかじめ登録されていてもよいし、放送局１００から放送番組に多重されて送信されてもよく、特に限定しない。
【０１０１】
また、本実施の形態では、番組受信装置１２０の一例としてＴＶを挙げたが、ＴＶでなくてもよく、録画装置や、放送受信機能搭載のＰＣでもよく、ＥＰＧが受信できて、通信機能が搭載されていれば特に限定されるものではない。
【０１０２】
また、番組表表示制御部１４４が付与する「見忘れ有」マークの表示内容は特に限定されるものではなく、例えば、「見忘れ有：連続ドラマＡ１第２話」というように、見忘れた番組について具体的に記載するようにしても良い。
【０１０３】
また、「見忘れ有」マークの選択方法としてデータ放送受信用ボタンを押すことを一例として説明したが、通常の番組表の選択と区別できれば特に限定されるものではない。
【０１０４】
（実施の形態２）
次に、本発明にかかる実施の形態２における番組送受信システムについて、図面を参照しながら説明する。本実施の形態２の番組送受信システムの基本的な構成は、実施の形態１と同様であるが、「見忘れ番組」の再生時間などを管理して、より適切なタイミングでの視聴を促す点が、実施の形態１と異なっている。そのため、本相違点を中心に説明する。なお、実施の形態１と同一または対応する構成については、同一の符号が付されている。
【０１０５】
図６は、本発明の実施の形態２における番組送受信システムの構成を表す図である。
【０１０６】
図６に示す本実施の形態２の番組受信装置１２０は、見忘れ番組時間管理部５０１が実装された以外は、実施の形態１で説明した番組受信装置と同じであるので、他の構成の説明を省略する。この見忘れ番組時間管理部５０１は、「見忘れ番組」の再生時間と関連する放送の開始時間を管理する。
【０１０７】
図７（ａ）、（ｂ）は「見忘れ有」マークが付与されたＥＰＧの例を示す図である。
【０１０８】
見忘れ番組時間管理部５０１は、見忘れ情報管理部１４３が、見忘れ番組配信システム１０２から「見忘れ番組」の情報を取得する際に、あわせて「見忘れ番組」の再生時間を取得する。そして、番組表表示制御部１４４は、「関連番組」の開始以前であり、かつ、「見忘れ番組」の再生時間以上前に始まる時間の番組に、「見忘れ番組」マークを表示させる。
【０１０９】
例えば、図７（ａ）に示すように、ＥＰＧ６１０の２ｃｈで２０時から放送される連続ドラマＡ１（第３話）の前回分である第２話を、ユーザが見逃していて、「見忘れ番組」が見忘れ番組配信システム１０２内に存在する場合、見忘れ番組時間管理部５０１は、連続ドラマＡ１（第２話）の再生時間が１時間であるという情報を、サーバ検索指示部１４１から受信する。続いて、「関連番組」である連続ドラマＡ１（第３話）の放送開始時間である２０時という情報を番組表情報管理部１３２から受信する。
【０１１０】
これにより、見忘れ番組時間管理部５０１において、「関連番組」である連続ドラマＡ１（第３話）開始までに、「見忘れ番組」である第２話の視聴を完了させるには、第３話の放送開始１時間前である１９時に「見忘れ番組」の視聴を開始すればいいことが判明する。そして、見忘れ番組時間管理部５０１は、見忘れ情報管理部１４３を経由して、番組表表示制御部１４４に視聴開始時間に関する情報を送る。
【０１１１】
すると、図７（ａ）に示すように、番組表表示制御部１４４は、１９時から開始される番組であるニュースＡ１に「見忘れ有」マーク６１１を表示させる。そして、ユーザが１９時に「見忘れ番組」を選択することで、ユーザは、「見忘れ番組」である連続ドラマＡ１の第２話を１９時から視聴し、続いて「関連番組」である第３話の放送を２０時から視聴出来、連続して視聴することが可能となる。
【０１１２】
一方、１９時を過ぎてもユーザが「見忘れ番組」を視聴しない場合には、図７（ｂ）に示すように、番組表表示制御部１４４は、「見忘れ有」マーク６１１を連続ドラマＡ１（第３話）の枠内に表示させる。
【０１１３】
このように本実施の形態２では、ユーザは自分が忘れていてもテレビ視聴や録画の際によく利用されるＥＰＧを見るだけで、例えば１時間の連続ドラマの見忘れがある場合は、次の回の１時間以上前に放送されるＥＰＧの枠に「見忘れ有」マークを付与することが可能となり、関連する次の番組が開始されるまでに、見忘れ番組の視聴を終了させることが可能となる効果がある。
【０１１４】
なお、上記実施の形態２では、１９時を過ぎると、「見忘れ有」マークを「関連番組」の枠に移動させているが、移動させなくても良い。
【０１１５】
また、「見忘れ有」マークの付与は、連続視聴になる１９時開始番組でなく、この番組の放送以前であっても構わず、ここでは連続ドラマＡ１の第３話が開始するまでに「見忘れ番組」である連続ドラマＡ１の第２話の視聴が終了するように、１９時以前の番組に「見忘れ有」マークを付与してもよい。
【０１１６】
また、「見忘れ番組」と「関連番組」が連続視聴可能な複数の番組あるいはすべての番組のＥＰＧ枠に「見忘れ有」マークを付与すると、さらに有効である。図８は、１９時に放送予定のすべての番組に「見忘れ有」マーク７０１を表示した場合の一例であるＥＰＧ７００を示す図である。図８に示すＥＰＧ７００では、「見忘れ有」マーク７０１が、「関連番組」の放送１時間前である１９時に放送予定の複数の番組の枠にわたって設けられている。なお、実施の形態１においても、複数の番組の枠にわたって設けられた「見忘れ有」マークがＥＰＧに付されていても良い。
【０１１７】
また、ＥＰＧの番組枠でなく、時刻欄のいずれかの枠に「見忘れ有」マークを付与しても同等の効果が得られる。このようなＥＰＧの例が、図９に示されている。図９に示すＥＰＧ７１０では、１９時を示す時刻表示枠に「見忘れ有」マーク７１１が、表示されている。なお、このように時刻表示欄のいずれかの枠に「見忘れ有」マークを表示する方法は、実施の形態１の番組送受信システムに対して適用してもよい。例えば、図５（ａ）に示す「見忘れ有」マーク４０１が２０時の枠に表示され、図５（ｂ）に示す「見忘れ有」マーク４１１が１９時の枠に表示されていてもよい。
【０１１８】
なお、「見忘れ有」マークを表示する時刻あるいは番組は、「関連番組」との連続視聴が可能な時間や、「関連番組」の放送時間、あるいは、放送が開始するまでに視聴が完了する任意の時間、あるいは履歴管理部１４２の情報から、ユーザがよく視聴や録画する時間、すなわちＥＰＧを使用する可能性が高い時間や番組に付与してもよい。
【０１１９】
なお、「見忘れ番組」の存在が１つの場合を例に説明したが、「見忘れ番組」が２つ以上ある場合であっても、本実施の形態２を適用することができる。具他的には、例えば、連続ドラマＡ１の第２話目に続いて第３話目も見逃した場合、第４話目が２０時から放送が開始されるとすると、第２話の再生時間（１時間）＋第３話の再生時間（１時間）の計２時間を再生時間とし、放送開始２時間前の１８時に、「見忘れ有」マークを付与することで、複数の見忘れ番組が存在する場合でも同様の効果が得られる。
【０１２０】
また、本発明の実施の形態１及び２では、放送番組配信システム１０１と見忘れ番組配信システム１０２が同一放送局１００内にあるとして説明したが、例えば見忘れ番組配信システム１０２は関連会社など別の場所に存在してもよい。
【０１２１】
なお、本発明の視聴とは、例えば、上記実施の形態１、２では、チャンネルを選択して番組を受信することとしていたが、視聴したかどうかの判断は、番組が表示画面１４７に表示されたこと、または、その番組の表示が終了したこととしてもよい。実際に表示されたことを視聴とすると、受信したものの録画されただけで視聴されていない番組も「見忘れ番組」扱いすることができるので、よりユーザに対して親切である。
【０１２２】
また、上記実施の形態１、２では、「見忘れ番組」が見忘れ番組配信システム１０２内に存在しない場合には、例え、ＥＰＧ内に「関連番組」が存在したとしても「見忘れ有」マークの表示は行われないが、「見忘れ番組」が見忘れ番組配信システム１０２内に存在しない場合であっても、「見忘れ有」マークの表示を行ってもよい。なぜならたとえ、見忘れ番組配信システム１０２内に「見忘れ番組」が存在しない場合でも、ユーザが見忘れていることに気付くことが出来れば、「関連番組」が放送されるまでに、ユーザが友人等に借りること等ができるためである。
【０１２３】
また、上記実施の形態１、２では、簡略すると、日頃「見たい番組」を抽出しておき、ユーザからのＥＰＧ表示要求があった際、過去の「見たい番組」の中に「未視聴番組」があるか否か検索し、それらから「見忘れ番組」を特定し、その「見忘れ番組」が、見忘れ番組配信システム１０２で配信可能かどうかを検索するという順番で制御処理を行うと記載したが、これらの処理の順番は適宜前後変更しても良い。
【０１２４】
例えば、上記実施の形態１、２では、「見忘れ番組」を特定した後、「見忘れ番組」が見忘れ番組配信システム１０２内に存在するか否かの検索が行われたが、「見たい番組」が特定された後、「見忘れ番組」が特定される前に、「見たい番組」が格納部１０３に存在しているか否かの検索を日頃やっておいてもよい。あるいはＥＰＧ表示指示があった際検索を行っても良い。
【０１２５】
このように、「見たい番組」を予め検索しておく制御では、「見たい番組」が格納部１０３に存在しない場合に、「見忘れ番組」の特定等を行う必要がないため、処理が少なくて済むという効果がある。
【０１２６】
一方、「見忘れ番組」を特定した後、「見忘れ番組」が格納部１０３に有るか否かを検索する制御では、「見たい番組」を検索するよりも検索する量が少なくて済むという効果がある。
【０１２７】
なお、実施の形態１、２では、過去の所定の期間（３週間）のＥＰＧにおける全ての番組から「見たい番組」があるか否かを検索し、見つかった「見たい番組」のなかに「未視聴番組」があるか否かを判定し、「未視聴番組」が見つかった場合は、その番組を「見忘れ番組」として決定する処理が行われたが、このような順番でなく、「未視聴番組」を抽出した後に、この「未視聴番組」の中に「見たい番組」があるか否かの検索が行われ、見つかった番組を「見忘れ番組」と決定する制御処理が行われてもかまわず、要するに「見忘れ番組」を特定することができさえすればよい。
【０１２８】
図１０は、そのような先に未視聴番組を抽出する制御を行うための番組送受信システムの構成図である。図１０に示す番組受信装置１２０は、図１と比較して、見たい番組検索部１５０に代えて、未視聴番組抽出部３０１が設けられている。この未視聴番組抽出部３０１は、過去の所定の期間において、視聴履歴から「未視聴番組」を抽出する。
【０１２９】
図１１は、図１０に示す番組受信装置１２０が、ユーザからＥＰＧの指示を受けた場合に実行する処理の流れを示す図である。
【０１３０】
図１１に示すように、図１０に示す番組受信装置１２０では、ＥＰＧを表示させる指示が行われると、未視聴番組抽出部３０１でユーザの視聴履歴をチェックし（Ｓ１１０２）、未視聴番組が抽出される（Ｓ１１０３）。
【０１３１】
詳しく述べると、履歴保存部１５２に保存されている視聴履歴には、過去の所定期間における既視聴及びＥＰＧの情報が含まれているため、過去の所定期間における「未視聴番組」が、未視聴番組抽出部３０１によって抽出される。ここで、過去の所定期間とは、例えば、３週間とすることができる。
【０１３２】
なお、上述のように、「見たい番組」の特定は、日頃端末が特定しているが、必ずしもこれに限らず、日頃は行わず、この「未視聴番組」の抽出ステップの前または後で、「見たい番組」を特定してもよい。
【０１３３】
次に、履歴管理部１４２では、履歴保存部１５２において管理している視聴履歴情報から「見忘れ番組」が特定される（Ｓ１１０４、Ｓ１１０５）。
【０１３４】
詳しく説明すると、見忘れ番組決定部１４８において、上記ステップＳ１１０３で抽出された「未視聴番組」の中に、上記ステップＳ１０６において特定された「見たい番組」が存在するか否かが検索される（Ｓ１１０４）。ここで、複数種類の「見たい番組」がある場合には、先ず、１つの種類の番組が選択され、その選択された番組が「未視聴番組」の中にあるか否かが検索される。ここでは、連続ドラマＡ１が選択されているものとする。
【０１３５】
そして、ステップＳ１１０４で、「見たい番組」が「未視聴番組」の中に見つかった場合、ステップＳ１１０５において、その番組が「見忘れ番組」として決定される。例えば、連続ドラマＡ１の第２話が視聴されていなかった場合には、「未視聴番組」の中に、連続ドラマＡ１の第２話が存在するため、連続ドラマＡ１の第２話が「見忘れ番組」と決定される。上記ステップＳ１１０４及びステップＳ１１０５が、本発明の見忘れ番組特定ステップの一例に相当する。
【０１３６】
一方、ステップ１１０４において、「未視聴番組」の中に、「見たい番組」が見つからなかった場合には、制御は、ステップＳ２１２へと進み、他の種類の「見たい番組」が有るか否かの判定が行われる。例えば、他の種類の「見たい番組」として、プロ野球の巨人阪神戦がある場合には（Ｓ２１２）、制御はステップＳ１１０４へと戻り、プロ野球の巨人阪神戦についての「見たい番組」が、「未視聴番組」の中に存在するか否かのチェックが行われる。
【０１３７】
すなわち、図１の構成の番組受信装置では、過去の所定期間における「見たい番組」の中にある「未視聴番組」が「見忘れ番組」として決定されるよう制御が行われていたが、図１０の構成の番組受信装置では、過去の所定期間における「未視聴番組」の中にある「見たい番組」が、「見忘れ番組」と決定されるよう制御が行われる。
【０１３８】
このように、図１０の構成の番組受信装置では、「未視聴番組」を抽出し、「未視聴番組」の中に「見たい番組」があるか検索が行われ、図１の構成の番組受信装置では、過去の「見たい番組」を検索し、過去の「見たい番組」のなかに「未視聴番組」が有るか否かの検索が行われているが、「見たい番組」の種類が連続ドラマ等の連続番組で有る場合、「未視聴番組」を抽出または検索しなくてもよい場合があり得る。具体的に説明すると、視聴履歴に、例えば、連続ドラマの第１、２話を視聴した記録が存在すると、第３話以降が「見たい番組」として特定される。ここで、「関連番組」をその残る連続ドラマとすると、その連続ドラマの第５話がＥＰＧに存在することが確認されると、第３話及び第４話が「見忘れ番組」であることが特定できる。そこで、ＥＰＧの第５話の枠に、「見忘れ有」マークを付与することができる。
【０１３９】
また、上記実施の形態１、２では、「見忘れ番組」が格納部１０３に存在する場合に「関連番組」が特定されるように制御が行われるが、「関連番組」を特定する制御は、「見忘れ番組」が格納部に存在するか否かの検索（Ｓ２０７、Ｓ２０８）と並行に行われても良い。このような制御のフロー図が、図１１のフローの変形例として図１２に示されている。
【０１４０】
図１２に示すように、ステップ１１０５で「見たい番組」が特定された後に、「見忘れ番組」が格納部１０３に有るか否かの検索（Ｓ２０６、Ｓ２０７）と並行して、「関連番組」の特定が行われる（Ｓ１２０８）。なお、図３のフローにおいても「関連番組」の特定が、「見忘れ番組」の検索と並行に行われても良い。
【０１４１】
また、上記実施の形態１、２では、番組受信装置１２０のサーバ検索指示部１４１が、見忘れ番組配信システム１０２に検索指示を行うことによって、検索部１０４が格納部１０３の検索を行っているが、番組受信装置１２０自身が、見忘れ番組配信システム１０２から格納部１０３の格納情報を受信し、その格納情報の検索を行う構成であってもよい。この場合、サーバ検索指示部１４１が、格納部１０３を検索する検索部となる。
【０１４２】
なお、実施の形態１では、単に「関連番組」に「見忘れ有」マークが付与される場合（図４（ｂ）参照）、「関連番組」の放送１日前までは「関連番組」の枠に「見忘れ有」マークが付与され、放送当日になると「関連番組」より放送時刻のはやい番組の枠に「見忘れ有」マークが付与される場合（図５（ａ）、図５（ｂ）参照）、及び「関連番組」の放送所定時間前までは「関連番組」の枠に「見忘れ有」マークが付与され、放送所定時間前になると「関連番組」より放送時刻のはやい番組の枠に「見忘れ有」マークが付与される場合について説明した。
【０１４３】
また、実施の形態２では、「関連番組」の放送開始よりも「見忘れ番組」の再生時間分前の時刻を基準とし、その時刻よりも前では、「関連番組」より放送時刻のはやい番組の枠に「見忘れ有」マークが付与され、その時刻を過ぎると、「関連番組」の枠に「見忘れ有」マークが付与される場合（図７（ａ）、図７（ｂ）参照）、他の複数のチャンネルに亘って「見忘れ有」マークが付与される場合（図８参照）、及び時刻表示欄の枠に「見忘れ有」マークが表示される場合（図９参照）について説明した。
【０１４４】
このように、「見忘れ有」マークを付与する複数の例について実施の形態１、２で説明したが、「関連番組」の開始時刻が変更された場合に、「見忘れ有」マークの位置も変更させてもよい。具体的には、図１３（ａ）に示すようなＥＰＧ１１００を例に挙げて説明すると、４ｃｈの２１時から始まる連続ドラマＢ１の第３話が「見忘れ番組」とすると、ドラマＢ１の第４話は、「関連番組」となる。このドラマＢ１の第４話の放送時刻前の番組であるバラエティＢ２の枠に「見忘れ有」マーク１１０１が付されている場合、バラエティＢ２以前に放送されている野球中継Ｂ３が１時間延長されると、他の番組も１時間繰り下がるため、図１３（ｂ）のＥＰＧ１１１０に示すように、図１３（ａ）よりも１時間後に「見忘れ有」マーク１１１１が付されることになる。なお、本発明の変更前に表示すべき場所の一例は、野球中継Ｂ３が延長される前のバラエティＢ２の番組枠（４ｃｈの２０時）。また、図４（ｂ）に示すように、「見忘れ有」マークが「関連番組」の枠に示されている場合には、「関連番組」の移動に従って、「見忘れ有」マークを移動させればよい。
【０１４５】
また、「見忘れ有」マークが、「関連番組」と同じチャンネル欄であって、「関連番組」よりも早い放映時刻の番組に付されている場合、「見忘れ有」マークが付されている番組の放映時間までに「見忘れ番組」の視聴が行われていない場合には、「見忘れ有」マークを順次繰り下げていくように制御が行われても良い。
【０１４６】
具体的に説明すると、４ｃｈで２１時から始まるドラマＢ１の第３話を「見忘れ番組」とすると、「関連番組」は、図１４（ａ）のＥＰＧ１２００に示すようにドラマＢ１の第４話となる。このＥＰＧ１２００には、１９時から放映されるバラエティＢ１の枠に「見忘れ有」マーク１２０１が付与されている。そして、この１９時までに「見忘れ番組」の視聴が行われない場合、図１４（ｂ）に示すＥＰＧ１２１０のように、「見忘れ有」マーク１２１１が、バラエティＢ１の次の番組であるバラエティＢ２の枠に付与される。続いて、バラエティＢ２の始まる２０時までに、「見忘れ番組」が視聴されない場合には、図１４（ｃ）に示すＥＰＧ１２２０のように、「見忘れ有」マーク１２２１が、「関連番組」であるドラマＢ１の第４話の枠に付与される。
【０１４７】
なお、図１４（ａ）〜（ｃ）では、「見忘れ有」マーク１２０１が付与されている番組の開始時に「見忘れ番組」の視聴が行われていない場合には、「見忘れ有」マーク１２０１を以降の番組枠に移動しているが、番組が開始し、所定時間経過した後に、以降の番組枠に「見忘れ有」マーク１２０１を移動させるように制御が行われても良い。この所定時間は、任意の時間に設定してもよく、番組の終了時間に設定することもできる。
【０１４８】
また、表示画面１４７に現に表示されているＥＰＧ（スクロールをしない状態）に、「見忘れ有」マークを表示させる番組があらわれていない場合には、チャンネル表示欄のチャンネル枠にマークを付与するように制御が行われても良い。具体例を示して説明すると、４ｃｈで２１時から放映される連続ドラマＢ１の第３話を「見忘れ番組」とすると、ドラマＢ１の第４話が「関連番組」と特定される。そして図５で説明した場合と同様に、「関連番組」に「見忘れ有」マークを付与した場合、ＥＰＧ１３００を表示画面１４７に表示させたとしても、図１５（ａ）に示すように、２０時の番組表が表示されていないため、スクロールしない限り、「見忘れ有」マークをユーザに視認させることが出来ない。そこで、「関連番組」が放映されるチャンネル表示枠に「見忘れ有」マーク１３０１が付与される（図１５（ａ）参照）。
【０１４９】
そして、画面をスクロールする等して、図１５（ｂ）に示すように、２０時台の番組表が表示されると、「見忘れ有」マーク１３１１が、「関連番組」の枠に表示される。
【０１５０】
このように制御することで、「見忘れ有」マークが表示される予定の番組が、表示画面に現に表示されていない場合には、チャンネル番組欄に「見忘れ有」マークを付与することで、ユーザに「見忘れ番組」があることをより気付かせることができる。
【０１５１】
また、リモコンでＥＰＧを表示させるよう指示すると、現在放送中の番組枠が表示されるため、その番組枠に「見忘れ有」マークを表示させるように制御が行われても良い。尚、チャンネルが変更されたり、放送が次の時間帯の番組に移ると、番組の移動に伴って「見忘れ有」マークも移動するよう制御が行われる。
【０１５２】
なお、上記実施の形態１、２では、「見忘れ番組」を受信したことを本発明の視聴の一例とし、受信後、番組表表示制御部１４４が「見忘れ有」マークをＥＰＧから消去すると記載したが、これに限らず、「見忘れ番組」を表示画面１４７で表示させたこと、また「見忘れ番組」の表示画面における表示が終了したことを本発明の視聴の一例として、表示または表示の終了後、「見忘れ有」マークをＥＰＧから消去するようにしても良い。
【０１５３】
また、ユーザが「見忘れ番組」を見ない場合には、「見忘れ番組」が存在する旨の表示がされた番組の放送開始時、または放送開始から一定時間経過した後に「見忘れ有」マークをＥＰＧから消去するように制御が行われても良い。例えば、図５（ｂ）に示すように、「関連番組」であるドラマＡ１の第３話目の前に放送されるニュースＡ１の放送開始時、または放送開始から、例えば３０分後などに「見忘れ有」マークをＥＰＧから消去される。
【０１５４】
また、本発明の実施の形態１及び２では、ＥＰＧの「見忘れ有」マークを選択することで「見忘れ番組」が配信され、表示が開始されるとしたが、開始するタイミングは、選択後すぐに限らなくてもよい。このような制御を行う番組送受信システムの構成が図１６に示されている。この図１６に示す番組送受信システムには、リモコン受信部１４６が受けた信号を受けて、所定のタイミングで見忘れ番組受信部１４５に、「見忘れ番組」の受信指示を出す再生指示部１６０が設けられている。この再生指示部１６０と見忘れ番組受信部１４５が、本発明の再生部の一例に相当する。
【０１５５】
具体的に説明すると、例えば、ユーザが実施の形態２の図７（ａ）のＥＰＧ６１０において、１８時に、「見忘れ有」マークを選択したとしても、「見忘れ有」が記入された番組の開始時間、ここでは１９時になったら自動的に「見忘れ番組」の再生が開始されてもよい。更に、ＥＰＧ６００のように「関連番組」の枠に「見忘れ有」マーク６０１が付与されていたとしても、１９時以前の任意のタイミングで「見忘れ有」を選択しておけば、連続視聴できる時間、すなわち１９時に「見忘れ番組」の再生が自動的に開始されてもよい。
【０１５６】
また、「見忘れ有」マークを選択することによって、「見忘れ番組」を受信して録画が開始されてもよく、また録画予約が行われても良い。
【０１５７】
なお、上記実施の形態１、２では、ＥＰＧを表示させる指示をトリガーとして、図３に示すような制御が行われているが、放送局１００から送信される新たなＥＰＧ情報を受信したことをトリガーとして、図３のステップＳ２０２〜ステップＳ２１２が行われても良い。このように、ＥＰＧを表示画面１４７に表示させずに、番組受信装置１２０の内部で、ＥＰＧ情報を作成しておくことで、ＥＰＧの表示指示があるとすぐにＥＰＧを表示させることができる。もちろん、未視聴の判断はその時々で順次更新されることになる。
【０１５８】
なお、上記実施の形態１、２では、ユーザに「見忘れ番組」が存在することを気付かせるために、ＥＰＧに「見忘れ有」マークを付与していたが、放送番組に多重して、または放送番組と別画面で「見忘れ番組」が存在する旨を表示してもよい。図１７は、放送番組に多重して、または放送番組と別画面で「見忘れ番組」が存在する旨の表示を行う番組送受信システムの構成を示す図である。図１７に示す番組送受信システムでは、図１で説明した番組表表示制御部１４４の代わりに、映像合成表示制御部１７０が設けられている。この映像合成表示制御部１７０は、本発明の見忘れ表示制御部の一例に相当する。そして、映像合成表示制御部１７０は、見忘れ情報管理部１４３から「見忘れ番組」が格納部１０３に存在する旨の情報を受け、関連番組判定部１５４から「関連番組」が未来の所定の期間に存在する旨の情報を受けると、受信部１３０で受信した放送に、「見忘れ番組」が存在する旨の表示を合成する。
【０１５９】
図１７に示す番組送受信システムでは、番組の放送中に「見忘れ番組」が存在する旨を表示するため、制御処理が行われるトリガーとしては、ＥＰＧを表示させる指示ではなく、更新されたＥＰＧ情報の受信が用いられる。
【０１６０】
例えば、２ｃｈの２０時からのドラマＡ１の第２話を「見忘れ番組」とすると、図４（ａ）のＥＰＧ３００に示すドラマＡ１の第３話が、「関連番組」となる。すると、例えば、「関連番組」より前に放映されるニュースＡ１の放映中に、図１８（ａ）の表示画面１４７に示すように放送番組に多重して、「見忘れ有」マーク１６０１を表示することができる。なお、図１８（ｂ）の表示画面１４７に示すように、放映番組の下側に別画面１４７ａで「見忘れ有！ドラマ第２話」と記載してもよい。なお、別画面に、「見忘れ有」マークを付与してＥＰＧを表示させても良い。
【０１６１】
また、上記実施の形態１、２では、見忘れ番組配信システム１０２が設けられているが、ケーブルテレビなどのように何度も同じ放送を繰り返す場合には、見忘れ番組配信システム１０２が設けられていなくてもよい。このような場合、ＥＰＧには、再放送の予定の情報も表示した「見忘れ有」マークが、「関連番組」等に付与されればよい。この「見忘れ有」マークが選択された場合には、再放送が始まると、再放送番組を表示させるようにしても良いし、再放送番組の録画予約が行われても良い。
【０１６２】
なお、「見忘れ番組」に関連する「関連番組」を決定する規則としては、上述した規則（『「見忘れ番組」が属する「見たい番組」群に属する全ての番組は、その「見忘れ番組」の「関連番組」として特定する』）に限らずそれ以外に、連続ドラマシリーズの場合、その総集編も関連番組とし、巨人阪神戦の場合、巨人のファン感謝番組放送等も関連番組としてもよい。それぞれ予め規則として決めておけばよい。
【０１６３】
以上述べたように、本発明に係る番組受信装置は、ＥＰＧを表示する際に、未視聴の番組に関する「見忘れ番組」が配信システムに存在することを示すことが可能となり、放送と連携した、見忘れ番組視聴などに有用である。
【０１６４】
なお、本発明に係る番組受信装置は、ＣＰＵとそれに接続された入出力部とから構成し、上述の動作を実現する方法をプログラムにより構成し、ＣＰＵにより解釈して処理するように構成しても構わない。また、このプログラムを、コンピュータにより読み出し可能な記録媒体に記録したものであっても構わない。
【０１６５】
本発明のプログラムは、上述した本発明の番組受信方法の全部または一部のステップの動作をコンピュータにより実行させるプログラムであって、コンピュータと協働して動作するプログラムである。
【０１６６】
また、本発明の記録媒体は、上述した本発明の番組受信方法の全部または一部のステップの全部または一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０１６７】
また、本発明のプログラムの一利用形態は、コンピュータにより読み取り可能な、ＲＯＭ等の記録媒体に記録され、コンピュータと協働して動作する態様であっても良い。
【０１６８】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０１６９】
また、上述した本発明のコンピュータは、ＣＰＵ等の純然たるハードウェアに限らず、ファームウェアや、ＯＳ、更に周辺機器を含むものであっても良い。
【０１７０】
なお、以上説明した様に、本発明の構成は、ソフトウェア的に実現しても良いし、ハードウェア的に実現しても良い。
【産業上の利用可能性】
【０１７１】
本発明の番組受信端末は、ユーザが特に意識的に検索を行う必要が無く、また、日常行われるテレビ放送やテレビガイドを見る行動の中で、自然に見忘れ番組に気づくことが可能な効果を有し、番組送受信システム等として有用である。
【符号の説明】
【０１７２】
１００  放送局
１０１  放送番組配信システム
１０２  見忘れ番組配信システム
１０３  格納部
１０４  検索部
１０５  配信部
１１０  公衆回線網
１２０  番組受信装置
１３０  受信部
１３１  番組表情報受信部
１３２  番組表情報管理部
１４０  通信部
１４１  サーバ検索指示部
１４２  履歴管理部
１４３  見忘れ情報管理部
１４４  番組表表示制御部
１４５  見忘れ番組受信部
１４６  リモコン受信部
１４８  見忘れ番組決定部
１４９  見たい番組特定部
１５０  見たい番組検索部
１５１  履歴作成部
１５２  履歴保存部
１６０  再生指示部
１７０  映像合成表示制御部
３０１  未視聴番組抽出部
５０１  見忘れ番組時間管理部
８１０  携帯電話
８２０  通信事業者側装置
８２１  基地局
８２２  移動通信制御局
８３０  サービスセンタ
８３１  放送番組表サービスサーバ
８３２  データベース
８４０  テレビ放送局
８５１  録画装置
８５２  テレビ受信機
８６０  インターネット
【手続補正２】
【補正対象書類名】特許請求の範囲
【補正対象項目名】全文
【補正方法】変更
【補正の内容】
【特許請求の範囲】
【請求項１】
視聴するために番組を受信する受信部と、
視聴した番組に基づいて視聴履歴を作成する履歴作成部と、
作成された前記視聴履歴を保存する履歴保存部と、
前記視聴履歴に基づいて、視聴者の見たい番組を特定する見たい番組特定部と、
前記見たい番組と、所定の時刻を基準とする視聴または未視聴の結果に基づいて見忘れ番組を特定する、見忘れ番組特定部と、
前記所定の時刻より未来の所定の期間における番組群のなかに、前記見忘れ番組から所定の規則に基づいて特定される関連番組が存在するかどうかを判断する関連番組判定部と、
前記関連番組が存在する場合は、前記見忘れ番組が存在する旨の表示を行わせる見忘れ表示制御部とを備えた、番組受信端末。
【請求項２】
番組を配信するシステムが、前記見忘れ番組を配信することが出来ない場合には、前記見忘れ表示制御部は、前記見忘れ番組が存在する旨の表示を行わせない、請求項１記載の番組受信端末。
【請求項３】
番組を配信するシステムが、前記見たい番組を配信することが出来ない場合には、前記見忘れ番組特定部、前記関連番組判定部、及び前記見忘れ表示制御部の動作の全部または一部が停止される、請求項１記載の番組受信端末。
【請求項４】
前記見忘れ番組特定部は、
前記所定の時刻より過去の所定の期間における全ての番組に前記見たい番組があるか否かを検索する見たい番組検索部と、
前記検索によって見つかった見たい番組のうち未視聴の番組があるか否かを検索し、その検索によって見つかった番組を見忘れ番組として決定する、見忘れ番組決定部とを有する、請求項１記載の番組受信端末。
【請求項５】
前記見忘れ番組特定部は、
前記所定の時刻より過去の所定の期間における全ての番組から未視聴番組を抽出する未視聴番組抽出部と、
前記未視聴番組の中で前記見たい番組があるか否かを検索し、検索によって見つかった番組を前記見忘れ番組として決定する、見忘れ番組決定部とを有する、請求項１記載の番組受信端末。
【請求項６】
前記関連番組とは、前記見忘れ番組が属する前記見たい番組の中の少なくとも１つの番組のことである、請求項１記載の番組受信端末。
【請求項７】
番組表情報を受信する番組表情報受信部を備え、
前記見忘れ表示制御部は、前記番組表情報に基づいた番組表を表示させる際、前記番組表に前記見忘れ番組が存在する旨の表示を行わせる、番組表表示制御部である、請求項１記載の番組受信端末。
【請求項８】
前記見忘れ表示制御部は、前記関連番組の開始または終了するまでの所定時間前になると、前記見忘れ番組の存在する旨の表示を視聴画面に多重して、または視聴画面と別画面で表示させる、映像合成表示制御部である、請求項１記載の番組受信端末。
【請求項９】
前記番組表表示制御部は、前記見忘れ番組が存在する旨の表示を、前記関連番組の属するチャンネルの番組欄のいずれかの枠に表示させる、請求項７記載の番組受信端末。
【請求項１０】
前記番組表表示制御部は、前記見忘れ番組が存在する旨の表示を時刻表示欄に表示させる、請求項７記載の番組受信端末。
【請求項１１】
前記関連番組の開始時刻が変更された場合、前記番組表表示制御部は、前記見忘れ番組が存在することを示す旨の表示を、前記変更前に表示すべき場所から移動させる、請求項７記載の番組受信端末。
【請求項１２】
前記番組表表示制御部は、前記見忘れ番組の視聴時、または前記見忘れ番組が存在する旨の表示がなされた番組の番組開始時、または前記見忘れ番組が存在することを示す旨の表示がなされた番組開始の一定時間経過後に、前記見忘れ番組が存在する旨の表示を前記番組表から消去させる、請求項７記載の番組受信端末。
【請求項１３】
前記番組表表示制御部は、前記見忘れ番組が存在する旨の表示が、現に表示された番組表内に表示されていない場合には、前記見忘れ番組が存在する旨の表示を、前記現に表示されている番組表のチャンネル表示欄に表示させる、請求項７記載の番組受信端末。
【請求項１４】
前記番組表表示制御部は、前記見忘れ番組が存在する旨の表示を、前記関連番組の枠に表示させる、請求項９記載の番組受信端末。
【請求項１５】
前記番組表表示制御部は、前記見忘れ番組が存在する旨の表示を、前記関連番組の放送開始の所定の時間前までは前記関連番組の枠に表示し、前記関連番組の放送開始の所定の時間以後は、前記関連番組より以前に放送される番組の枠に表示させる、請求項９記載の番組受信端末。
【請求項１６】
前記番組表表示制御部は、前記見忘れ番組が存在する旨の表示を、前記関連番組の放送開始日前までは前記関連番組の枠に表示し、前記関連番組の放送開始日は前記関連番組より以前に放送される番組の枠に表示させる、請求項１５記載の番組受信端末。
【請求項１７】
前記見忘れ番組の再生時間を管理する、見忘れ番組時間管理部を備え、
前記番組表表示制御部は、前記見忘れ番組が存在する旨の表示を、前記関連番組の放送開始より、少なくとも前記再生時間分前に開始する番組の枠に表示させる、請求項９記載の番組受信端末。
【請求項１８】
前記見忘れ番組時間管理部は、１つの前記関連情報に対する前記見忘れ番組が複数存在する場合には、前記複数の見忘れ番組の各々の再生時間を合計した時間を再生時間とする、請求項１７記載の番組受信端末。
【請求項１９】
前記番組表表示制御部は、前記見忘れ番組が存在する旨の表示を、前記関連番組と同じ時間帯の複数のチャンネルの番組の枠にわたって、または前記関連番組以前の番組と同じ時間帯の複数のチャンネルの番組の枠にわたって表示させる、請求項９記載の番組受信端末。
【請求項２０】
前記番組表表示制御部は、前記見忘れ番組が存在することを示す旨の表示が、前記関連番組より前の番組の枠に表示されている場合、
前記見忘れ番組が存在することを示す旨の表示がなされた番組開始時または番組開始から一定時間経過後に、前記見忘れ番組の視聴が開始されていない時には、前記見忘れ番組を存在することを示す旨の表示を、前記関連番組まで、以降の番組欄に順次移動させる、請求項９記載の番組受信端末。
【請求項２１】
前記番組表表示制御部は、前記番組表中の、現在視聴中の番組の番組枠に、前記見忘れ番組が存在する旨の表示を行わせる、請求項７記載の番組受信端末。
【請求項２２】
前記表示に対応する選択がユーザによってなされた場合には、前記関連番組の開始時刻の所定時間前になると、前記見忘れ番組を再生する再生部を備えた、請求項１記載の番組受信端末。
【請求項２３】
前記表示に対応する選択がユーザによってなされた場合には、前記見忘れ番組を録画する、請求項１記載の番組受信端末。
【請求項２４】
番組を放送する番組放送局と、
視聴するために前記番組を受信する受信部、視聴した番組に基づいて視聴履歴を作成する履歴作成部、作成された前記視聴履歴を保存する履歴保存部、前記視聴履歴に基づいて、視聴者の見たい番組を特定する見たい番組特定部、前記見たい番組と、所定の時刻を基準とする視聴または未視聴の結果に基づいて見忘れ番組を特定する、見忘れ番組特定部と、前記所定の時刻より未来の所定の期間における番組群のなかに、前記見忘れ番組から所定の規則に基づいて関連番組を特定する関連番組が存在するかどうかを判断する関連番組判定部、及び前記関連番組が存在する場合は、前記見忘れ番組が存在する旨の表示を行わせる見忘れ表示制御部とを備えた、番組受信端末と、
前記番組を格納する格納部、前記格納部に前記見忘れ番組が存在するか否かを検索する検索部、及び前記見忘れ番組を前記番組受信端末に配信する配信部を備えた番組配信装置を備え、
前記格納部に前記見忘れ番組が存在しない場合、前記見忘れ表示制御部は、前記見忘れ番組が存在する旨の表示を行わない、番組送受信システム。
【請求項２５】
受信部によって、視聴するために番組を受信する受信ステップと、
履歴作成部によって、視聴した番組に基づいて視聴履歴を作成する履歴作成ステップと、
履歴保存部によって、作成された前記視聴履歴を保存する履歴保存ステップと、
見たい番組特定部によって、前記視聴履歴に基づいて、視聴者の見たい番組を特定する見たい番組特定ステップと、
見忘れ番組特定部によって、前記見たい番組と、所定の時刻を基準とする視聴または未視聴の結果に基づいて見忘れ番組を特定する見忘れ番組特定ステップと、
関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、
見忘れ表示制御部によって、前記関連番組が存在する場合は、前記見忘れ番組が存在する旨の表示を行わせる表示ステップとを備えた、番組受信方法。
【請求項２６】
請求項２５記載の番組受信方法の、履歴作成部によって、視聴した番組に基づいて視聴履歴を作成する履歴作成ステップと、履歴保存部によって、作成された前記視聴履歴を保存する履歴保存ステップと、見たい番組特定部によって、前記視聴履歴に基づいて、視聴者の見たい番組を特定する見たい番組特定ステップと、見忘れ番組特定部によって、前記見たい番組と、所定の時刻を基準とする視聴または未視聴の結果に基づいて見忘れ番組を特定する見忘れ番組特定ステップと、関連番組判定部によって、前記所定の時刻より未来の所定の期間における番組群のなかに、前記見忘れ番組から所定の規則に基づいて関連番組を特定する関連番組が存在するかどうかを判断する関連番組判定ステップと、見忘れ表示制御部によって、前記関連番組が存在する場合は、前記見忘れ番組が存在する旨の表示を行わせる表示ステップとをコンピュータに実行させるプログラム。
【請求項２７】
請求項２６記載のプログラムを記録した記録媒体であって、コンピュータにより処理可能な記録媒体。
【手続補正３】
【補正対象書類名】図面
【補正対象項目名】全図
【補正方法】変更
【補正の内容】
【図１】
2010035406.tif 000024
【図２】
2010035406.tif 000025
【図３】
2010035406.tif 000026
【図４】
2010035406.tif 000027
【図５】
2010035406.tif 000028
【図６】
2010035406.tif 000029
【図７】
2010035406.tif 000030
【図８】
2010035406.tif 000031
【図９】
2010035406.tif 000032
【図１０】
2010035406.tif 000033
【図１１】
2010035406.tif 000034
【図１２】
2010035406.tif 000035
【図１３】
2010035406.tif 000036
【図１４（ａ）】
2010035406.tif 000037
【図１４（ｂ）】
2010035406.tif 000038
【図１４（ｃ）】
2010035406.tif 000039
【図１５】
2010035406.tif 000040
【図１６】
2010035406.tif 000041
【図１７】
2010035406.tif 000042
【図１８】
2010035406.tif 000043
【図１９】
2010035406.tif 000044
【国際調査報告】
2010035406.tif 000045
2010035406.tif 000046
2010035406.tif 000047